(57)【要約】【課題】分離可能な電子装置のそれぞれのバッテリ残量について、双方の機器間で調整することが可能になる。【解決手段】スイッチ制御部１ａ１は、電源１ａ６を用いて電源制御部１ｂ４によりバッテリ部１ｂ３が充電される場合には、スイッチ１ａ２を接点部１ａ５と電源１ａ６とを電気的に接続するように切り替える。スイッチ制御部１ｂ１は、電源１ｂ６を用いて電源制御部１ａ４によりバッテリ部１ａ３が充電される場合には、スイッチ１ｂ２を接点部１ｂ５と電源１ｂ６とを電気的に接続するように切り替える。接点部１ａ５と接点部１ｂ５とは電気的に接続可能である。【選択図】図１
2011101458.tif 000002
【特許請求の範囲】
【請求項１】
第２の筐体と、前記第２の筐体から供給された電力を受け取ることができる第１の筐体とを有する電子装置であって、
前記第１の筐体は、第１の接点部と、第１のスイッチと、前記第１のスイッチを制御する第１のスイッチ制御部とを有し、
前記第２の筐体は、前記第１の接点部と電気的に接続可能な第２の接点部と、前記第２の接点部と電気的に接続可能な二次電池を有する第２のバッテリ部と、前記第２のバッテリ部に対する充電を制御する第２の電源制御部とを有し、
前記第２の筐体は、前記第１の接点部と前記第２の接点部との関係において前記第１の筐体と電気的に接続している第１の形態と、前記第１の筐体と分離している第２の形態とを含む変形形態をとることができ、
前記第１のスイッチは、充電する電力を供給可能な第１の電源と前記第１の接点部とを電気的に接続するか否かを切り替え可能であり、
前記第１のスイッチ制御部は、前記第１の電源を用いて前記第２の電源制御部により前記第２のバッテリ部が充電される場合には、前記第１のスイッチを前記第１の接点部と前記第１の電源とを電気的に接続するように切り替えることを特徴とする電子装置。
【請求項２】
前記第１の電源は、第１の外部電源であり、
前記第１の筐体は、前記第１の外部電源と接続可能な第１の外部電源端子を有し、
前記第１のスイッチは、前記第１の外部電源端子と前記第１の接点部とを電気的に接続するか否かを切り替え可能であることを特徴とする請求項１記載の電子装置。
【請求項３】
前記第１の筐体は、二次電池を有する第１のバッテリ部を有し、
前記第１の電源は、前記第１のバッテリ部であり、
前記第１のスイッチは、前記第１のバッテリ部と前記第１の接点部とを電気的に接続するか否かを切り替え可能であることを特徴とする請求項１記載の電子装置。
【請求項４】
前記第１の筐体は、二次電池を有する第１のバッテリ部と、前記第１のバッテリ部に対する充電を制御する第１の電源制御部と、前記第１のバッテリ部と前記第１の外部電源端子とを電気的に接続するか否かを切り替え可能である充電用スイッチとを有し、
前記第１のスイッチ制御部は、前記充電用スイッチを前記第１のバッテリ部と前記第１の外部電源端子とを電気的に接続しないように切り替えると共に、前記第１のスイッチを前記第１の接点部と前記第１の外部電源端子とを電気的に接続するように切り替え、前記第２のバッテリ部の充電が完了した後、前記充電用スイッチを前記第１のバッテリ部と前記第１の外部電源端子とを電気的に接続するように切り替えると共に、前記第１のスイッチを前記第１の接点部と前記第１の外部電源端子とを電気的に接続しないように切り替えることを特徴とする請求項２記載の電子装置。
【請求項５】
前記第１の筐体は、二次電池を有する第１のバッテリ部と、前記第１のバッテリ部に対する充電を制御する第１の電源制御部とを有し、
前記第２の筐体は、第２のスイッチと、前記第２のスイッチを制御する第２のスイッチ制御部とを有し、
前記第２のスイッチは、充電する電力を供給可能な第２の電源と前記第２の接点部とを電気的に接続するか否かを切り替え可能であり、
前記第２のスイッチ制御部は、前記第２の電源を用いて前記第１の電源制御部により前記第１のバッテリ部が充電される場合には、前記第２のスイッチを前記第２の接点部と前記第２のバッテリ部とを電気的に接続するように切り替えることを特徴とする請求項１記載の電子装置。
【請求項６】
他の電子装置と接続可能であると共に、前記他の電子装置から供給された電力を受け取ることができる電子装置であって、
前記他の電子装置の接点部と電気的に接続可能な接点部と、スイッチと、前記スイッチを制御するスイッチ制御部とを有し、
前記接点部と前記他の電子装置の接点部との関係において前記他の電子装置と電気的に接続している第１の形態と、前記他の電子装置と分離している第２の形態とを含む変形形態をとることができ、
前記スイッチは、充電する電力を供給可能な電源と前記接点部とを電気的に接続するか否かを切り替え可能であり、
前記スイッチ制御部は、前記電源を用いて前記他の電子装置が充電される場合には、前記スイッチを前記接点部と前記電源とを電気的に接続するように切り替えることを特徴とする電子装置。
【請求項７】
他の電子装置と接続可能であると共に、前記他の電子装置から供給された電力を受け取ることができる電子装置の電源を制御する電源制御装置であって、
充電する電力を供給可能な前記電源と、前記他の電子装置の接点部と電気的に接続可能な接点部とを電気的に接続するか否かを切り替え可能であるスイッチを制御し、前記電源を用いて前記他の電子装置が充電される場合には、前記スイッチを前記接点部と前記電源とを電気的に接続するように切り替えることを特徴とする電源制御装置。
【発明の詳細な説明】
【技術分野】
【０００１】
本件は電子装置および電源制御装置に関する。
【背景技術】
【０００２】
現在、携帯端末装置等の電子装置の多機能化が進んでいる。携帯端末装置には、例えば、音声通話、文書作成、ウェブサイトへのアクセス、電子メールの送受信、動画再生など、様々な種類の情報処理を行えるものがある。また、このような機能をユーザが快適に利用できるよう、装置を分離して使用できるようにした様々な変形形態をもつ電子装置が存在する。
【０００３】
このような分離して使用可能な電子装置では、分離した状態でもユーザが快適に使用するために、それぞれの機器において独自にバッテリを有しており、自機のバッテリを消費して動作するものがある。
【０００４】
これに関して、携帯端末および携帯端末から切り離し可能なモジュールの２つの機器を有し、モジュールの電源が消耗したときには、携帯端末のバッテリからモジュールに充電する技術が知られている（例えば、特許文献１参照）。
【先行技術文献】
【特許文献】
【０００５】
【特許文献１】特開２００１−２３１０６５号公報
【発明の概要】
【発明が解決しようとする課題】
【０００６】
上記のような分離して使用可能である電子装置では、ユーザが分離状態でそれぞれの機器に対して個別に使用することができるため、電力の消費量について機器間で偏りが生じる可能性がある。
【０００７】
しかし、上記特許文献１に記載の技術では、バッテリ間での電力のやり取りを、一方向のみでしか行うことができない。このため、例えば、ユーザがバッテリ電力によって充電電力を供給可能な側の機器を主に使用している場合等、充電電力を供給可能な側のバッテリが先に消耗してしまったときには、充電電力の供給を受けることが可能な側のバッテリに余力があるにもかかわらず、充電電力を供給可能な側の使用を中止しなければならないという問題点がある。
【０００８】
本件はこのような点に鑑みてなされたものであり、分離可能な電子装置のそれぞれのバッテリ残量について、双方の機器間で調整可能な電子装置および電源制御装置を提供することを目的とする。
【課題を解決するための手段】
【０００９】
上記課題を解決するために、第２の筐体から供給された電力を受け取ることができる第１の筐体と第２の筐体とを有する電子装置が提供される。第１の筐体は、第１の接点部と、第１のスイッチと、第１のスイッチを制御する第１のスイッチ制御部とを有する。第２の筐体は、第１の接点部と電気的に接続可能な第２の接点部と、第２の接点部と電気的に接続可能な二次電池を有する第２のバッテリ部と、第２のバッテリ部に対する充電を制御する第２の電源制御部とを有する。また、第２の筐体は、第１の接点部と第２の接点部との関係において第１の筐体と電気的に接続している第１の形態と、第１の筐体と分離している第２の形態とを含む変形形態をとることができる。第１のスイッチは、充電する電力を供給可能な第１の電源と第１の接点部とを電気的に接続するか否かを切り替え可能である。第１のスイッチ制御部は、第１の電源を用いて第２の電源制御部により第２のバッテリ部が充電される場合には、第１のスイッチを第１の接点部と第１の電源とを電気的に接続するように切り替える。
【００１０】
また、上記課題を解決するために、他の電子装置と接続可能であると共に、他の電子装置から供給された電力を受け取ることができる電子装置が提供される。この電子装置は、他の電子装置の接点部と電気的に接続可能な接点部と、スイッチと、スイッチを制御するスイッチ制御部とを有する。また、電子装置は、接点部と他の電子装置の接点部との関係において他の電子装置と電気的に接続している第１の形態と、他の電子装置と分離している第２の形態とを含む変形形態をとることができる。スイッチは、充電する電力を供給可能な電源と接点部とを電気的に接続するか否かを切り替え可能である。スイッチ制御部は、電源を用いて他の電子装置が充電される場合には、スイッチを接点部と電源とを電気的に接続するように切り替える。
【００１１】
また、上記課題を解決するために、他の電子装置と接続可能であると共に、他の電子装置から供給された電力を受け取ることができる電子装置の電源を制御する電源制御装置が提供される。この電源制御装置は、充電する電力を供給可能な電源と、他の電子装置の接点部と電気的に接続可能な接点部とを電気的に接続するか否かを切り替え可能であるスイッチを制御し、電源を用いて他の電子装置が充電される場合には、スイッチを接点部と電源とを電気的に接続するように切り替える。
【発明の効果】
【００１２】
上記電子装置および電源制御装置によれば、分離可能な電子装置のそれぞれのバッテリ残量を調整することができる。
【図面の簡単な説明】
【００１３】
【図１】第１の実施の形態の電子装置を示す図である。
【図２】第２の実施の形態の携帯端末装置の外観を示す図である。
【図３】第２の実施の形態の分離状態の携帯端末装置の外観を示す図である。
【図４】第２の実施の形態の入力操作部の外観を示す図である。
【図５】第２の実施の形態の情報表示部の外観を示す図である。
【図６】第２の実施の形態の延伸状態の入力操作部の外観を示す図である。
【図７】第２の実施の形態の延伸状態の携帯端末装置の外観を示す図である。
【図８】第２の実施の形態の携帯端末装置のハードウェアを示すブロック図である。
【図９】第２の実施の形態の携帯端末装置の機能を示すブロック図である。
【図１０】第２の実施の形態の切替制御部の論理回路を示す図である。
【図１１】第２の実施の形態の入力操作部に接続されたアダプタで入力操作部および情報表示部に充電する際の動作を示す図である。
【図１２】第２の実施の形態の入力操作部に接続されたアダプタで入力操作部および情報表示部に充電する際の処理の流れを示すシーケンス図である。
【図１３】第２の実施の形態のバッテリ電源供給の動作を示す図である。
【図１４】第２の実施の形態のバッテリ電源供給の処理の流れを示すシーケンス図である。
【図１５】第２の実施の形態の優先充電の動作を示す図である。
【図１６】第２の実施の形態の優先充電の処理の流れを示すシーケンス図である。
【発明を実施するための形態】
【００１４】
以下、本実施の形態を図面を参照して詳細に説明する。
［第１の実施の形態］
図１は、第１の実施の形態の電子装置を示す図である。例えば、第１の実施の形態に係る電子装置１として、携帯端末装置、携帯電話機、携帯テレビ、携帯型ゲーム機、電子辞書装置等の電子機器が考えられる。また、ノート型コンピュータやＰＤＡ（Personal Digital Assistant）などの情報処理装置も考えられる。
【００１５】
電子装置１は、筐体１ａ（第１の筐体）、筐体１ｂ（第２の筐体）を有する。筐体１ａに対し、筐体１ｂは分離可能である。電子装置１は、筐体１ａ，１ｂが合体した状態、分離した状態のいずれの状態でも使用可能である。また、筐体１ａ，１ｂは、分離状態でも独立で動作できるように、それぞれがバッテリ部１ａ３，１ｂ３、電源１ａ６，１ｂ６等の電源を使用可能である。また、図１の太線は、バッテリ部１ｂ３を充電する電力が電源１ａ６により供給される経路を示す。
【００１６】
筐体１ａは、スイッチ制御部１ａ１（第１のスイッチ制御部）、スイッチ１ａ２（第１のスイッチ）、バッテリ部１ａ３（第１のバッテリ部）、電源制御部１ａ４（第１の電源制御部）、接点部１ａ５（第１の接点部）を有する。筐体１ａは、電源１ａ６（第１の電源）を使用可能である。また、筐体１ａは、筐体１ｂから供給された電力を受け取ることができる。
【００１７】
スイッチ制御部１ａ１は、電源１ａ６を用いて電源制御部１ｂ４によりバッテリ部１ｂ３が充電される場合には、スイッチ１ａ２を接点部１ａ５と電源１ａ６とを電気的に接続するように切り替える。
【００１８】
スイッチ１ａ２は、充電する電力を供給可能な電源１ａ６と接点部１ａ５とを電気的に接続するか否かを切り替え可能である。スイッチ１ａ２により電源１ａ６と接点部１ａ５とが接続されると、筐体１ｂに電源１ａ６の電力の供給が可能になる。また、電源１ａ６の電力を筐体１ｂに供給しない場合には、スイッチ１ａ２は、電源１ａ６と接点部１ａ５とを接続しない。
【００１９】
バッテリ部１ａ３は、接点部１ａ５と電気的に接続可能な二次電池を有する。筐体１ａは、バッテリ部１ａ３に充電された電力により、外部電源がない場合にも単独で動作可能である。
【００２０】
電源制御部１ａ４は、筐体１ｂ等から供給された電力を使用したバッテリ部１ａ３に対する充電を制御する。
接点部１ａ５は、接点部１ｂ５と電気的に接続可能である。接点部１ａ５，１ｂ５は、それぞれ接点端子を有してもよい。この場合、接点部１ａ５，１ｂ５を、筐体１ａ，１ｂが合体状態の場合に互いの接点端子が接触するように配置する。これにより、筐体１ａ，１ｂ間で供給される電力の伝達が可能になる。
【００２１】
電源１ａ６は、筐体１ａの動作およびバッテリ部１ｂ３の充電に使用される。電源１ａ６は、筐体１ａの内部に有するものであってもよく、筐体１ａに接続される電源アダプタ等の外部電源であってもよい。また、電源１ａ６は、バッテリ部１ａ３であってもよい。また、電源１ａ６は、バッテリ部１ａ３の充電に使用可能であってもよい。
【００２２】
筐体１ｂは、スイッチ制御部１ｂ１（第２のスイッチ制御部）、スイッチ１ｂ２（第２のスイッチ）、バッテリ部１ｂ３（第２のバッテリ部）、電源制御部１ｂ４（第２の電源制御部）、接点部１ｂ５（第２の接点部）を有する。筐体１ｂは、電源１ｂ６（第２の電源）を使用可能である。また、筐体１ｂは、接点部１ａ５と接点部１ｂ５との関係において筐体１ａと電気的に接続している第１の形態と、筐体１ａと分離している第２の形態とを含む変形形態をとることができる。また、筐体１ｂは、筐体１ａから供給された電力を受け取ることができる。
【００２３】
スイッチ制御部１ｂ１は、電源１ｂ６を用いて電源制御部１ａ４によりバッテリ部１ａ３が充電される場合には、スイッチ１ｂ２を接点部１ｂ５と電源１ｂ６とを電気的に接続するように切り替える。
【００２４】
スイッチ１ｂ２は、充電する電力を供給可能な電源１ｂ６と接点部１ｂ５とを電気的に接続するか否かを切り替え可能である。スイッチ１ｂ２により電源１ｂ６と接点部１ｂ５とが接続されると、筐体１ａに電源１ｂ６の電力の供給が可能になる。また、電源１ｂ６の電力を筐体１ａに供給しない場合には、スイッチ１ｂ２は、電源１ｂ６と接点部１ｂ５とを接続しない。
【００２５】
バッテリ部１ｂ３は、接点部１ｂ５と電気的に接続可能な二次電池を有する。筐体１ｂは、バッテリ部１ｂ３に充電された電力により、外部電源がない場合にも単独で動作可能である。
【００２６】
電源制御部１ｂ４は、筐体１ａ等から供給された電力を使用したバッテリ部１ｂ３に対する充電を制御する。
接点部１ｂ５は、接点部１ａ５と電気的に接続可能である。接点部１ｂ５は、上記のように接点端子を有してもよい。
【００２７】
電源１ｂ６は、筐体１ｂの動作およびバッテリ部１ａ３の充電に使用される。電源１ｂ６は、筐体１ｂの内部に有するものであってもよく、筐体１ｂに接続される電源アダプタ等の外部電源であってもよい。また、電源１ｂ６は、バッテリ部１ｂ３であってもよい。また、電源１ｂ６は、バッテリ部１ｂ３の充電に使用可能であってもよい。
【００２８】
例えば、電子装置１において電源１ａ６で供給される電力によりバッテリ部１ｂ３を充電する場合、供給される電力は、スイッチ１ａ２、接点部１ａ５，１ｂ５、スイッチ１ｂ２、電源制御部１ｂ４を介してバッテリ部１ｂ３に伝達される。
【００２９】
このような電子装置１によれば、分離可能な電子装置のそれぞれのバッテリ残量に偏りがある場合等に、双方のバッテリ残量を調整することができる。
また、相互間の電力の供給に使用する接続線を共通化したので、電子装置１の筐体１ａ，１ｂの間の接点および接続線を簡略化できる。
【００３０】
以下の第２の実施の形態では、第１の実施の形態に係る電子装置１の応用例として、携帯端末装置を挙げる。ただし、前述の通り、電子装置１は、携帯端末装置以外の様々な電子機器に応用できる。
【００３１】
［第２の実施の形態］
図２は、第２の実施の形態の携帯端末装置の外観を示す図である。図２（Ａ）は、第２の実施の形態の携帯端末装置の上面図である。図２（Ｂ）は、第２の実施の形態の携帯端末装置の左側面図である。図２（Ｃ）は、第２の実施の形態の携帯端末装置の正面図である。図２（Ｄ）は、第２の実施の形態の携帯端末装置の右側面図である。図２（Ｅ）は、第２の実施の形態の携帯端末装置の底面図である。図２（Ｆ）は、第２の実施の形態の携帯端末装置の背面図である。
【００３２】
第２の実施の形態の携帯端末装置１００は、無線による通話機能を備えた携帯端末装置である。携帯端末装置１００は、入力操作部１１０および情報表示部１３０を有する。入力操作部１１０は第１の実施の形態の筐体１ａの一例であり、情報表示部１３０は第１の実施の形態の筐体１ｂの一例である。
【００３３】
図２に示す携帯端末装置１００は、入力操作部１１０および情報表示部１３０が重なった状態で合体している。入力操作部１１０は、図２においては後述するように延伸しておらず、収縮している収納状態である。入力操作部１１０の長手方向の長さ（高さ）および短手方向の長さ（幅）は、それぞれ情報表示部１３０の高さおよび幅とほぼ同じである。この収納状態では、合体時の入力操作部１１０の側面と情報表示部１３０の側面とがほぼ揃っている。情報表示部１３０は、図２（Ｃ）に示すように、正面にディスプレイ１３１ａを有する。
【００３４】
図３は、第２の実施の形態の分離状態の携帯端末装置の外観を示す図である。図３（Ａ）は、第２の実施の形態の入力操作部の外観図である。図３（Ｂ）は、第２の実施の形態の情報表示部の外観図である。
【００３５】
本実施の形態の携帯端末装置１００は、入力操作部１１０および情報表示部１３０が分離した状態でもそれぞれの機器について使用可能である。図３（Ａ），（Ｂ）は、分離状態にある入力操作部１１０および情報表示部１３０を示す。
【００３６】
入力操作部１１０は、図３（Ａ）に示すように、フルキー部１１０ａおよびテンキー部１１０ｂを有する。入力操作部１１０は、フルキー部１１０ａとテンキー部１１０ｂとをスライドさせることにより、テンキー部１１０ｂが収納されている収納状態と延伸している延伸状態とを相互に変換することができる。
【００３７】
フルキー部１１０ａは、情報表示部１３０のカメラ部１４１ａと嵌合する嵌合孔部１１０ａ１、主に文字情報の入力を受け付けるフルキー１１１ａ、情報表示部１３０が有する接点端子１３６ａ，１３６ｂのそれぞれと接触することにより電気的に接続可能な接点端子１１６ａ，１１６ｂを有する。テンキー部１１０ｂは、主に数字情報および電話機能の操作の入力を受け付けるテンキー１１１ｂを有する。
【００３８】
本実施の形態では、フルキー１１１ａは、携帯端末装置１００の入力操作部１１０および情報表示部１３０が合体状態では携帯端末装置１００の内側に収納されており、携帯端末装置１００を入力操作部１１０および情報表示部１３０に分離すると露出して使用可能になる。また、テンキー１１１ｂは、携帯端末装置１００を入力操作部１１０および情報表示部１３０に分離して、さらに入力操作部１１０をスライドして延伸状態にすると露出して使用可能になる。
【００３９】
情報表示部１３０は、図３（Ｂ）に示すように、静止画像または動画像を撮像するカメラ部１４１ａ、入力操作部１１０が有する接点端子１１６ａ，１１６ｂのそれぞれと接触することにより電気的に接続可能な接点端子１３６ａ，１３６ｂを有する。カメラ部１４１ａは、後述するように入力操作部１１０および情報表示部１３０が合体している場合には、入力操作部１１０が有する嵌合孔部１１０ａ１と嵌合する。
【００４０】
図４は、第２の実施の形態の入力操作部の外観を示す図である。図４（Ａ）は、第２の実施の形態の入力操作部の上面図である。図４（Ｂ）は、第２の実施の形態の入力操作部の左側面図である。図４（Ｃ）は、第２の実施の形態の入力操作部の正面図である。図４（Ｄ）は、第２の実施の形態の入力操作部の右側面図である。図４（Ｅ）は、第２の実施の形態の入力操作部の底面図である。図４（Ｆ）は、第２の実施の形態の入力操作部の背面図である。
【００４１】
図４に示す入力操作部１１０は、情報表示部１３０と分離してフルキー部１１０ａのフルキー１１１ａが露出していると共に、収縮してテンキー部１１０ｂのテンキー１１１ｂが収納された収納状態である。
【００４２】
携帯端末装置１００のユーザは、図４に示すように、入力操作部１１０が情報表示部１３０と分離しており、かつ、収納状態の場合には、フルキー１１１ａを使用して文字情報等を入力することができる。また、入力された情報は、後述する無線通信機能を用いて情報表示部１３０に送信される。
【００４３】
図５は、第２の実施の形態の情報表示部の外観を示す図である。図５（Ａ）は、第２の実施の形態の情報表示部の上面図である。図５（Ｂ）は、第２の実施の形態の情報表示部の左側面図である。図５（Ｃ）は、第２の実施の形態の情報表示部の正面図である。図５（Ｄ）は、第２の実施の形態の情報表示部の右側面図である。図５（Ｅ）は、第２の実施の形態の情報表示部の底面図である。図５（Ｆ）は、第２の実施の形態の情報表示部の背面図である。
【００４４】
図５に示す情報表示部１３０は、入力操作部１１０と分離した状態であり、正面にディスプレイ１３１ａが配置され、背面にカメラ部１４１ａが配置されている。
携帯端末装置１００のユーザは、図５に示すように、情報表示部１３０が入力操作部１１０と分離している場合には、携帯端末装置１００が通信機能で取得した情報、入力操作部１１０で入力された情報等、携帯端末装置１００が有する情報をディスプレイ１３１ａに表示させることができる。また、ユーザは、カメラ部１４１ａで静止画像または動画像を撮像することができる。
【００４５】
図６は、第２の実施の形態の延伸状態の入力操作部の外観を示す図である。図６（Ａ）は、第２の実施の形態の延伸状態の入力操作部の上面図である。図６（Ｂ）は、第２の実施の形態の延伸状態の入力操作部の左側面図である。図６（Ｃ）は、第２の実施の形態の延伸状態の入力操作部の正面図である。図６（Ｄ）は、第２の実施の形態の延伸状態の入力操作部の右側面図である。図６（Ｅ）は、第２の実施の形態の延伸状態の入力操作部の底面図である。図６（Ｆ）は、第２の実施の形態の延伸状態の入力操作部の背面図である。
【００４６】
図６に示す入力操作部１１０は、情報表示部１３０と分離してフルキー部１１０ａのフルキー１１１ａが露出していると共に、フルキー部１１０ａおよびテンキー部１１０ｂがスライドすることにより延伸して、テンキー部１１０ｂのテンキー１１１ｂも露出している延伸状態である。入力操作部１１０は、テンキー部１１０ｂがスライドして延伸状態と収納状態とに変換するために、例えば、図示しないレール部を設けてもよい。また、これに限らず、テンキー部１１０ｂのスライドによる状態の変換は、他の機構で実現してもよい。
【００４７】
携帯端末装置１００のユーザは、図６に示すように、入力操作部１１０が情報表示部１３０と分離しており、かつ、延伸状態の場合には、フルキー１１１ａを使用して文字情報等を入力することができると共に、テンキー１１１ｂを操作して携帯電話機能の操作や数字情報を入力することができる。また、入力された情報は、後述する無線通信機能を用いて情報表示部１３０に送信される。
【００４８】
図７は、第２の実施の形態の延伸状態の携帯端末装置の外観を示す図である。図７（Ａ）は、第２の実施の形態の延伸状態の携帯端末装置の上面図である。図７（Ｂ）は、第２の実施の形態の延伸状態の携帯端末装置の左側面図である。図７（Ｃ）は、第２の実施の形態の延伸状態の携帯端末装置の正面図である。図７（Ｄ）は、第２の実施の形態の延伸状態の携帯端末装置の右側面図である。図７（Ｅ）は、第２の実施の形態の延伸状態の携帯端末装置の底面図である。図７（Ｆ）は、第２の実施の形態の延伸状態の携帯端末装置の背面図である。
【００４９】
図７に示す携帯端末装置１００は、入力操作部１１０および情報表示部１３０が合体していると共に、入力操作部１１０のフルキー部１１０ａおよびテンキー部１１０ｂがスライドしてテンキー１１１ｂが露出している延伸状態である。
【００５０】
図７（Ｆ）に示すように、携帯端末装置１００が延伸状態である場合には、入力操作部１１０の嵌合孔部１１０ａ１にカメラ部１４１ａが嵌合することにより、入力操作部１１０および情報表示部１３０が合体しているにも関わらず、カメラ部１４１ａが嵌合孔部１１０ａ１を通して露出している。
【００５１】
携帯端末装置１００のユーザは、図７に示すように、携帯端末装置１００が合体しており、かつ、延伸状態の場合には、テンキー１１１ｂを操作して携帯電話機能の操作や数字情報を入力することができると共に、カメラ部１４１ａで静止画像または動画像を撮像することができる。また、入力操作部１１０により入力された情報は、接点端子１１６ａ，１１６ｂ，１３６ａ，１３６ｂを介して情報表示部１３０に送信される。
【００５２】
図８は、第２の実施の形態の携帯端末装置のハードウェアを示すブロック図である。第２の実施の形態に係る携帯端末装置１００は、前述の通り、入力操作部１１０および情報表示部１３０を有する。入力操作部１１０および情報表示部１３０は、各機器の電源の制御を含む各種制御のため、接触通信および無線通信を行うことができる。また、入力操作部１１０および情報表示部１３０は、それぞれ単独でも使用可能である。
【００５３】
入力操作部１１０は、キーボード部１１１、マイクロホン１１２、操作部１１３、制御部１１４、切替制御部１１５、接点部１１６、検出部１１７、電源制御部１１８、バッテリ部１１９、無線通信部１２０を有する。
【００５４】
キーボード部１１１は、前述したフルキー１１１ａ、テンキー１１１ｂを有し、これらのキー操作を検出して数字情報および文字情報ならびにその他の入力情報の入力を受け付ける。キーボード部１１１は、キー操作を検出すると、操作されたキーを示す入力信号を制御部１１４経由で制御部１３４に出力する。
【００５５】
マイクロホン１１２は、音の物理振動を電気信号に変換して音声入力を受け付け、制御部１１４を経由して制御部１３４に出力する。例えば、ユーザが通話を行っているとき、ユーザの声やユーザ側の背景雑音がマイクロホン１１２から入力される。
【００５６】
操作部１１３は、操作キー、操作ボタン、タッチパネル等の入力装置を有し、電源のオンおよびオフ、各種モードの切り替え等の操作を受け付ける。
制御部１１４は、携帯端末装置１００全体を制御する。制御部１１４は、例えば、ＣＰＵ（Central Processing Unit）、ＲＡＭ（Random Access Memory）、ＲＯＭ（Read Only Memory）で実現できる。また、制御部１１４は、例えば、Ｉ２Ｃ（Inter-Integrated Circuit）、ＳＰＩ（Serial Peripheral Interface）、ＵＡＲＴ（Universal Asynchronous Receiver Transmitter）、ＵＳＢ（Universal Serial Bus）等の、周辺デバイスと接続できるインタフェースを有する。ＣＰＵは、ＲＯＭからプログラムやデータを読み出し、ＲＡＭに展開してプログラムを実行する。ＲＡＭは、プログラムやデータの少なくとも一部を一時的に格納する揮発性メモリである。なお、ＲＡＭに代えて、他の種類のメモリを用いてもよい。ＲＯＭは、制御部１１４が使用するプログラムやデータを格納する不揮発性メモリである。なお、ＲＯＭに代えて、例えば、フラッシュメモリを用いてもよい。制御部１１４で行われる制御には、通信制御、音声入出力制御、キー操作制御などが含まれる。また、制御部１１４は、接点部１１６、バッテリ部１１９等の入力操作部１１０の各部、アダプタ等の外部電源等を接続し、または接続しないように切り替え可能なスイッチを切り替える。これにより、バッテリ部１１９への充電時、バッテリ部１１９からの充電電力の供給時等に、接続を切り替えることができる。
【００５７】
切替制御部１１５は、入力操作部１１０の各部、アダプタ等の外部電源等を接続し、または接続しないように切り替え可能なスイッチを切り替える制御を行う。これにより、バッテリ部１１９への充電時、バッテリ部１１９からの充電電力の供給時等に、接続を切り替えることができる。
【００５８】
接点部１１６は、情報表示部１３０が有する接点部１３６と電気的に接続する。入力操作部１１０において、情報表示部１３０との間で通信されるデータおよび情報表示部１３０との間の電力の供給は、接点部１１６を経由して伝達される。接点部１１６は、例えば、情報表示部１３０との間で電力の供給を行う接点端子１１６ａ、情報表示部１３０と合体状態であるか分離状態であるかを検出する合体検出を行う接点端子１１６ｂ等の接点端子を有する。
【００５９】
検出部１１７は、入力操作部１１０の各部の電圧を検出する。これにより、情報表示部１３０や外部電源による電力の供給の有無等が検出される。
電源制御部１１８は、入力操作部１１０の各部にバッテリ部１１９や外部電源による電源の供給を制御する。また、電源制御部１１８は、バッテリ部１１９のバッテリ残量の検出を行う。また、電源制御部１１８は、バッテリ部１１９の充電を制御する。また、電源制御部１１８は、バッテリ部１１９の充電状態の検出および通知を行う。
【００６０】
電源制御部１１８は、バッテリ部１１９のバッテリ残量とバッテリ部１１９の極間電圧との対応関係を示す情報（例えば、グラフ、テーブル、関数等）を有している。電源制御部１１８は、バッテリ部１１９の極間電圧を検出し、対応関係を示す情報とバッテリ部１１９の極間電圧とに基づいて、バッテリ部１１９のバッテリ残量を検出する。
【００６１】
バッテリ部１１９は、入力操作部１１０に接続される外部電源や情報表示部１３０から電力の供給を受けて充電を行うことにより電気を蓄えて電池として繰り返し使用可能な二次電池（蓄電池）を有しており、この二次電池により入力操作部１１０に電力を供給する。バッテリは、本実施の形態ではリチウムイオン電池を用いるが、これに限らずあらゆる二次電池を用いることができる。
【００６２】
無線通信部１２０は、制御部１１４の制御に従って、情報表示部１３０と無線通信を行う。無線通信部１２０は、例えば、Ｂｌｕｅｔｏｏｔｈ（登録商標）、Ｚｉｇｂｅｅ、ＷｉｒｅｌｅｓｓＵＳＢ、無線ＬＡＮ（Local Area Network）などの通信方式を用いることが考えられる。
【００６３】
情報表示部１３０は、表示部１３１、スピーカ１３２、操作部１３３、制御部１３４、切替制御部１３５、接点部１３６、検出部１３７、電源制御部１３８、バッテリ部１３９、無線通信部１４０、撮像部１４１を有する。
【００６４】
表示部１３１は、制御部１３４の制御に従って、各種ランプを点灯させたり、ディスプレイ１３１ａに各種画像を表示したりすることにより、ユーザに対して各種通知を行う。表示部１３１では、例えば、各種ランプとしてＬＥＤ（Light Emitting Diode）を用いることができる。また、表示部１３１では、ディスプレイ１３１ａとして液晶ディスプレイ（LCD：Liquid Crystal Display）や有機ＥＬ（Electro Luminescence）ディスプレイを用いることができる。ディスプレイ１３１ａで表示される画像には、例えば、待ち受け画面、操作画面、テキスト、コンテンツ画像などが含まれる。
【００６５】
スピーカ１３２は、制御部１３４の制御に従って、電気信号を物理振動に変換して音を再生する。例えば、ユーザが通話を行っているとき、通話相手の声や通話相手側の背景雑音がスピーカ１３２から出力される。
【００６６】
操作部１３３は、操作キー、操作ボタン、タッチパネル等の入力装置を有し、電源のオンおよびオフ、各種モードの切り替え等の操作を受け付ける。
制御部１３４は、携帯端末装置１００全体を制御する。制御部１３４は、制御部１１４と同様、例えば、ＣＰＵ、ＲＡＭ、ＲＯＭで実現できる。また、制御部１３４は、例えば、Ｉ２Ｃ、ＳＰＩ、ＵＡＲＴ、ＵＳＢ等の、周辺デバイスと接続できるインタフェースを有する。ＣＰＵは、ＲＯＭからプログラムやデータを読み出し、ＲＡＭに展開してプログラムを実行する。ＲＡＭは、プログラムやデータの少なくとも一部を一時的に格納する揮発性メモリである。なお、ＲＡＭに代えて、他の種類のメモリを用いてもよい。ＲＯＭは、制御部１３４が使用するプログラムやデータを格納する不揮発性メモリである。なお、ＲＯＭに代えて、例えば、フラッシュメモリを用いてもよい。制御部１３４で行われる制御には、通信制御、音声入出力制御、キー操作制御などが含まれる。また、制御部１３４は、接点部１３６、バッテリ部１３９等の情報表示部１３０の各部、アダプタ等の外部電源等を接続し、または接続しないように切り替え可能なスイッチを切り替える。これにより、バッテリ部１３９への充電時、バッテリ部１３９からの充電電力の供給時等に、接続を切り替えることができる。
【００６７】
切替制御部１３５は、情報表示部１３０の各部、アダプタ等の外部電源等を接続し、または接続しないように切り替え可能なスイッチを切り替える制御を行う。これにより、バッテリ部１３９への充電時、バッテリ部１３９からの充電電力の供給時等に、接続を切り替えることができる。
【００６８】
接点部１３６は、入力操作部１１０が有する接点部１１６と電気的に接続する。情報表示部１３０において、入力操作部１１０との間で通信されるデータおよび入力操作部１１０との間の電力の供給は、接点部１３６を経由して伝達される。接点部１３６は、例えば、入力操作部１１０との間で電力の供給を行う接点端子１３６ａ、入力操作部１１０と合体状態であるか分離状態であるかを検出する合体検出を行う接点端子１３６ｂ等の接点端子を有する。
【００６９】
検出部１３７は、情報表示部１３０の各部の電圧を検出する。これにより、入力操作部１１０や外部電源による電力の供給の有無等が検出される。
電源制御部１３８は、情報表示部１３０の各部にバッテリ部１３９や外部電源による電源の供給を制御する。また、電源制御部１３８は、バッテリ部１３９のバッテリ残量の検出を行う。また、電源制御部１３８は、バッテリ部１３９の充電を制御する。また、電源制御部１３８は、バッテリ部１３９の充電状態の検出および通知を行う。
【００７０】
電源制御部１３８は、バッテリ部１３９のバッテリ残量とバッテリ部１３９の極間電圧との対応関係を示す情報を有している。電源制御部１３８は、バッテリ部１３９の極間電圧を検出し、対応関係を示す情報とバッテリ部１３９の極間電圧とに基づいて、バッテリ部１３９のバッテリ残量を検出する。
【００７１】
バッテリ部１３９は、情報表示部１３０に接続される外部電源や入力操作部１１０から電力の供給を受けて充電を行うことにより電気を蓄えて電池として繰り返し使用可能な二次電池を有しており、この二次電池により情報表示部１３０に電力を供給する。バッテリは、本実施の形態ではリチウムイオン電池を用いるが、これに限らずあらゆる二次電池を用いることができる。
【００７２】
無線通信部１４０は、制御部１３４の制御に従って、入力操作部１１０と無線通信を行う。また、無線通信部１４０は、制御部１３４の制御に従って、公衆回線と無線通信を行う。無線通信部１４０は、入力操作部１１０との無線通信では、例えば、Ｂｌｕｅｔｏｏｔｈ、Ｚｉｇｂｅｅ、ＷｉｒｅｌｅｓｓＵＳＢ、無線ＬＡＮなどの通信方式を用いることが考えられる。また、無線通信部１４０は、公衆回線との無線通信では、例えば、Ｗ−ＣＤＭＡ（Wideband Code Division Multiple Access）通信等のモバイル通信で直接通信してもよく、ＩＥＥＥ８０２．１１ａ/ｂ/ｇ/ｎ等の無線ＬＡＮを介して通信してもよい。
【００７３】
撮像部１４１は、カメラ部１４１ａを有し、カメラ部１４１ａで撮像した静止画像または動画像を画像データに変換する。
また、入力操作部１１０、情報表示部１３０は、分離状態でも独立で動作できるように、それぞれが電源制御部１１８，１３８、バッテリ部１１９，１３９を有している。
【００７４】
なお、ここで、電源がオフとは、自己の機器に対する電源操作および他方の機器の電源を監視する機能以外の機能を制限し、電力消費量を低減している待機状態を含むこととする。例えば、電源がオフの状態には、各機器の電源制御部（例えば、入力操作部１１０の場合には電源制御部１１８）以外の各部に電源が供給されていない状態を含む。
【００７５】
図９は、第２の実施の形態の携帯端末装置の機能を示すブロック図である。なお、図９では、充電制御以外の機能については記載を省略している。
携帯端末装置１００は、入力操作部１１０（第１の筐体）、情報表示部１３０（第２の筐体）を有する。入力操作部１１０に対し、情報表示部１３０は分離可能である。携帯端末装置１００は、入力操作部１１０、情報表示部１３０が合体した状態、分離した状態のいずれの状態でも使用可能である。また、入力操作部１１０は、情報表示部１３０から供給された電力を受け取ることができる。情報表示部１３０は、入力操作部１１０から供給された電力を受け取ることができる。さらに、入力操作部１１０および情報表示部１３０は、接点部１１６と接点部１３６との関係において電気的に接続している形態（合体状態）と、分離している形態（分離状態）とを含む変形形態をとることができる。
【００７６】
制御部１１４は、検出部１１７ａ、電源制御部１１８、制御部１３４から送信される信号を取得する。また、制御部１１４は、取得した信号に基づいて、切替制御部１１５に制御信号を送信することにより、スイッチ１２２ａ，１２２ｂを制御させる。また、制御部１１４は、取得した信号に基づいてスイッチ１２２ｃを制御する。切替制御部１１５は、制御部１１４から送信される制御信号および検出部１１７ａ，１１７ｂ、電源制御部１１８、接点端子１１６ｂから取得する信号に基づいて、スイッチ１２２ａ，１２２ｂを制御する。制御部１１４および切替制御部１１５は、スイッチ制御部として機能する。
【００７７】
制御部１１４は、図１５および図１６において後述する優先充電時には、電源制御部１１８によるバッテリ部１１９のバッテリ残量の検出に基づいて、満充電時のバッテリ残量よりも少ない所定の電圧で優先充電の終了を判定してもよい。これにより、優先充電時にバッテリ部１１９およびバッテリ部１３９に対して効率的に充電を行うことができる。
【００７８】
切替制御部１１５は、アダプタ端子１２３に接続されたアダプタを用いて電源制御部１３８によりバッテリ部１３９が充電される場合には、スイッチ１２２ａを接点端子１１６ａとアダプタ端子１２３に接続されたアダプタとを電気的に接続するように切り替える。
【００７９】
切替制御部１１５は、バッテリ部１１９を用いて電源制御部１３８によりバッテリ部１３９が充電される場合には、スイッチ１２２ｂを接点端子１１６ａとバッテリ部１１９とを電気的に接続するように切り替える。
【００８０】
また、制御部１１４および切替制御部１１５は、バッテリ部１１９のバッテリ残量とバッテリ部１３９のバッテリ残量とを比較してバッテリ部１３９のバッテリ残量が少ない場合であって、アダプタ端子１２３に接続されたアダプタで充電を行うときには、スイッチ１２２ｃをバッテリ部１１９とアダプタ端子１２３とを電気的に接続しないように切り替えると共に、スイッチ１２２ａを接点端子１１６ａとアダプタ端子１２３とを電気的に接続するように切り替えることができる。この場合において、次に、制御部１１４および切替制御部１１５は、バッテリ部１３９の充電が完了した後、スイッチ１２２ｃをバッテリ部１１９とアダプタ端子１２３とを電気的に接続するように切り替えると共に、スイッチ１２２ａを接点端子１１６ａとアダプタ端子１２３とを電気的に接続しないように切り替える。これにより、バッテリ部１１９のバッテリ残量が少ない場合、バッテリ部１１９を優先的に充電する優先充電が行われる。
【００８１】
また、切替制御部１１５は、検出部１１７ｂにより接点端子１１６ａから供給される電圧が検出される場合には、スイッチ１２２ｂをバッテリ部１１９と接点端子１１６ａとを電気的に接続しないように切り替える。
【００８２】
また、切替制御部１１５は、接点端子１１６ｂ，１３６ｂにより、入力操作部１１０および情報表示部１３０が合体状態であるか分離状態であるかを検出する。切替制御部１１５は、接点端子１１６ｂ，１３６ｂに基づいて分離状態であることが検出される場合には、スイッチ１２２ａ，１２２ｂをアダプタ端子１２３およびバッテリ部１１９と接点端子１１６ａとを電気的に接続しないように切り替える。
【００８３】
切替制御部１１５は、アダプタ端子１２３に接続されたアダプタを用いて電源制御部１１８によりバッテリ部１１９が充電される場合には、スイッチ１２２ａを接点端子１１６ａとアダプタ端子１２３に接続されたアダプタとを電気的に接続しないように切り替える。
【００８４】
接点部１１６は、接点部１３６と電気的に接続可能である。接点部１１６は、接点端子１１６ａ，１１６ｂ，１１６ｃを有する。接点部１１６は、入力操作部１１０および情報表示部１３０が合体状態の場合に、接点端子１１６ａ，１１６ｂ，１１６ｃが接点部１３６の対応する接点端子と接触するように配置する。これにより、入力操作部１１０、情報表示部１３０の間で通信および電力の伝達が可能になる。
【００８５】
接点端子１１６ａ，１１６ｂ，１１６ｃは、情報表示部１３０が有する接点部１３６の接点端子１３６ａ，１３６ｂ，１３６ｃのそれぞれと容易に接触できるよう、入力操作部１１０の表面から少し突出させる。また、接点部１１６の接点端子１１６ａ，１１６ｂ，１１６ｃの周辺を窪ませると共に接点部１３６を突出させ、接点部１３６と嵌合してそれぞれの接点端子が接触するようにしてもよい。
【００８６】
接点端子１１６ａは、接点端子１３６ａと接続可能であり、情報表示部１３０と接触して電力の供給を行う接点端子である。入力操作部１１０は、接点端子１１６ａを介して、情報表示部１３０との間で相互に充電電力を供給する。
【００８７】
接点端子１１６ｂは、接点端子１３６ｂと接続可能であり、情報表示部１３０と接触して入力操作部１１０および情報表示部１３０が合体状態であるか分離状態であるかを検出するための接点端子である。
【００８８】
接点端子１１６ｃは、接点端子１３６ｃと接続可能であり、情報表示部１３０と接触通信を行う接点端子である。制御部１１４は、接点端子１１６ｃを介して、制御部１３４との間で通信データや制御信号を送受信する。
【００８９】
検出部１１７ａは、アダプタ端子１２３に接続されたアダプタから供給される電圧を検出する。検出部１１７ａは、アダプタから供給される電圧を検出すると、アダプタ電圧検出を制御部１１４および切替制御部１１５に出力する。
【００９０】
検出部１１７ｂは、接点端子１１６ａにより情報表示部１３０から供給される電圧を検出する。検出部１１７ｂは、接点端子１１６ａにより情報表示部１３０から供給される電圧を検出すると、対向機電圧検出を切替制御部１１５に出力する。
【００９１】
電源制御部１１８は、アダプタ端子１２３に接続されたアダプタまたはバッテリ部１１９や情報表示部１３０から供給された電力を使用したバッテリ部１１９に対する充電を制御する。また、電源制御部１１８は、バッテリ部１１９のバッテリ残量を通知するバッテリ残量通知を制御部１１４に通知する。また、電源制御部１１８は、バッテリ部１１９に充電中であるか否かを示す充電状態通知を切替制御部１１５に通知する。
【００９２】
電源制御部１１８は、バッテリ部１１９に優先充電を行っている場合に、バッテリ部１１９の満充電時のバッテリ残量が満充電に達したとき、優先充電が完了したものと判定する。
【００９３】
なお、電源制御部１１８は、バッテリ部１１９に優先充電を行っている場合に、バッテリ部１３９の満充電時のバッテリ残量よりも少ない所定のバッテリ残量に達したときに、優先充電が完了したものと判定してもよい。これにより、バッテリ残量が満充電に近づいた場合には、制御部１１４がバッテリ部１１９の優先充電を完了させ、バッテリ部１３９に充電が行われることで、高い充電効果を得ることができる。
【００９４】
バッテリ部１１９は、接点端子１１６ａと電気的に接続可能な二次電池を有する。入力操作部１１０は、バッテリ部１１９に充電された電力により、外部電源がない場合にも単独で動作可能である。
【００９５】
スイッチ１２２ａは、アダプタ端子１２３と接点端子１１６ａとを電気的に接続するか否かを切り替え可能である。スイッチ１２２ａによりアダプタ端子１２３と接点端子１１６ａとが接続されると、情報表示部１３０にアダプタ端子１２３に接続されたアダプタの電力の供給が可能になる。また、アダプタ端子１２３に接続されたアダプタの電力を情報表示部１３０に供給しない場合には、スイッチ１２２ａは、アダプタ端子１２３と接点端子１１６ａとを接続しない。
【００９６】
スイッチ１２２ｂは、バッテリ部１１９と接点端子１１６ａとを電気的に接続するか否かを切り替え可能である。スイッチ１２２ｂによりバッテリ部１１９と接点端子１１６ａとが接続されると、情報表示部１３０にバッテリ部１１９の電力の供給が可能になる。また、バッテリ部１１９の電力を情報表示部１３０に供給しない場合には、スイッチ１２２ｂは、バッテリ部１１９と接点端子１１６ａとを接続しない。
【００９７】
スイッチ１２２ｃは、バッテリ部１１９とアダプタ端子１２３とを電気的に接続するか否かを切り替え可能である。これにより、アダプタ端子１２３に接続されたアダプタの電源の供給を受けるか否かを制御することができる。
【００９８】
アダプタ端子１２３は、外部電源であるアダプタ（例えば、図１１において後述するアダプタ２００）を接続可能である。アダプタは、商用電源を変換して入力操作部１１０で使用可能な電流に変換して供給するものであってもよく、その他の電源を変換して入力操作部１１０で使用可能な電流を供給するものであってもよい。また、アダプタ端子１２３は、外部バッテリ等、アダプタ以外の方法による電力の供給を受けることが可能であってもよい。
【００９９】
制御部１３４は、制御部１１４、検出部１３７ａ、電源制御部１３８から送信される信号を取得する。また、制御部１３４は、取得した信号に基づいて、切替制御部１３５に制御信号を送信することにより、スイッチ１４２ａ，１４２ｂを制御させる。また、制御部１３４は、取得した信号に基づいてスイッチ１４２ｃを制御する。切替制御部１３５は、制御部１３４から送信される制御信号および検出部１３７ａ，１３７ｂ、電源制御部１３８、接点端子１３６ｂから取得する信号に基づいて、スイッチ１４２ａ，１４２ｂを制御する。制御部１３４および切替制御部１３５は、スイッチ制御部として機能する。
【０１００】
切替制御部１３５は、アダプタ端子１４３にアダプタが接続されている場合であって、アダプタを用いて電源制御部１１８によりバッテリ部１１９が充電されるときには、スイッチ１４２ａを接点端子１３６ａとアダプタ端子１４３に接続されるアダプタとを電気的に接続するように切り替える。
【０１０１】
切替制御部１３５は、バッテリ部１３９を用いて電源制御部１１８によりバッテリ部１１９が充電される場合には、スイッチ１４２ｂを接点端子１３６ａとバッテリ部１３９とを電気的に接続するように切り替える。
【０１０２】
また、制御部１３４および切替制御部１３５は、バッテリ部１３９のバッテリ残量とバッテリ部１１９のバッテリ残量とを比較してバッテリ部１１９のバッテリ残量が少ない場合であって、アダプタ端子１４３に接続されるアダプタで充電を行うときには、スイッチ１４２ｃをバッテリ部１３９とアダプタ端子１４３とを電気的に接続しないように切り替えると共に、スイッチ１４２ａを接点端子１３６ａとアダプタ端子１４３とを電気的に接続するように切り替えることができる。この場合において、次に、制御部１３４および切替制御部１３５は、バッテリ部１１９の充電が完了した後、スイッチ１４２ｃをバッテリ部１３９とアダプタ端子１４３とを電気的に接続するように切り替えると共に、スイッチ１４２ａを接点端子１３６ａとアダプタ端子１４３とを電気的に接続しないように切り替える。これにより、バッテリ部１３９のバッテリ残量が少ない場合、バッテリ部１３９を優先的に充電する優先充電が行われる。
【０１０３】
制御部１３４は、図１５および図１６において後述する優先充電時には、電源制御部１３８によるバッテリ部１３９のバッテリ残量の検出に基づいて、満充電時のバッテリ残量よりも少ない所定の電圧で優先充電の終了を判定してもよい。これにより、優先充電時にバッテリ部１１９およびバッテリ部１３９に対して効率的に充電を行うことができる。
【０１０４】
また、切替制御部１３５は、検出部１３７ｂにより接点端子１３６ａから供給される電圧が検出される場合には、スイッチ１４２ｂをバッテリ部１３９と接点端子１３６ａとを電気的に接続しないように切り替える。
【０１０５】
また、切替制御部１３５は、接点端子１１６ｂ，１３６ｂにより、情報表示部１３０および入力操作部１１０が合体状態であるか分離状態であるかを検出する。切替制御部１３５は、接点端子１１６ｂ，１３６ｂに基づいて分離状態であることが検出される場合には、スイッチ１４２ａ，１４２ｂをアダプタ端子１４３およびバッテリ部１３９と接点端子１３６ａとを電気的に接続しないように切り替える。
【０１０６】
切替制御部１３５は、アダプタ端子１４３に接続されたアダプタを用いて電源制御部１３８によりバッテリ部１３９が充電される場合には、スイッチ１４２ａを接点端子１３６ａとアダプタ端子１４３に接続されたアダプタとを電気的に接続しないように切り替える。
【０１０７】
接点部１３６は、接点部１１６と電気的に接続可能である。接点部１３６は、接点端子１３６ａ，１３６ｂ，１３６ｃを有する。接点部１３６は、入力操作部１１０および情報表示部１３０が合体状態の場合に、接点端子１３６ａ，１３６ｂ，１３６ｃが接点部１１６の対応する接点端子と接触するように配置する。これにより、情報表示部１３０、入力操作部１１０の間で通信および電力の伝達が可能になる。
【０１０８】
接点端子１３６ａ，１３６ｂ，１３６ｃは、入力操作部１１０が有する接点部１１６の接点端子１１６ａ，１１６ｂ，１１６ｃのそれぞれと容易に接触できるよう、情報表示部１３０の表面から少し突出させる。また、接点部１３６の接点端子１３６ａ，１３６ｂ，１３６ｃの周辺を窪ませると共に接点部１１６を突出させ、接点部１３６と嵌合してそれぞれの接点端子が接触するようにしてもよい。
【０１０９】
接点端子１３６ａは、接点端子１１６ａと接続可能であり、入力操作部１１０と接触して電力の供給を行う接点端子である。情報表示部１３０は、接点端子１３６ａを介して、入力操作部１１０との間で相互に充電電力を供給する。
【０１１０】
接点端子１３６ｂは、接点端子１１６ｂと接続可能であり、入力操作部１１０と接触して情報表示部１３０および入力操作部１１０が合体状態であるか分離状態であるかを検出するための接点端子である。
【０１１１】
接点端子１３６ｃは、接点端子１１６ｃと接続可能であり、入力操作部１１０と接触通信を行う接点端子である。制御部１３４は、接点端子１３６ｃを介して、制御部１１４との間で通信データや制御信号を送受信する。
【０１１２】
検出部１３７ａは、アダプタ端子１４３に接続されるアダプタから供給される電圧を検出する。検出部１３７ａは、アダプタ端子１４３に接続されるアダプタから供給される電圧を検出すると、アダプタ電圧検出を制御部１３４および切替制御部１３５に出力する。
【０１１３】
検出部１３７ｂは、接点端子１３６ａにより入力操作部１１０から供給される電圧を検出する。検出部１３７ａは、接点端子１３６ａにより入力操作部１１０から供給される電圧を検出すると、対向機電圧検出を切替制御部１３５に出力する。
【０１１４】
電源制御部１３８は、アダプタ端子１４３に接続されるアダプタまたはバッテリ部１３９や入力操作部１１０から供給された電力を使用したバッテリ部１３９に対する充電を制御する。また、電源制御部１３８は、バッテリ部１３９のバッテリ残量を通知するバッテリ残量通知を制御部１３４に通知する。また、電源制御部１３８は、バッテリ部１３９に充電中であるか否かを示す充電状態通知を切替制御部１３５に通知する。
【０１１５】
また、電源制御部１３８は、バッテリ部１３９に優先充電を行っている場合に、バッテリ部１３９の満充電時のバッテリ残量が満充電に達したとき、優先充電が完了したものと判定する。
【０１１６】
なお、電源制御部１３８は、バッテリ部１３９に優先充電を行っている場合に、バッテリ部１３９の満充電時のバッテリ残量よりも少ない所定のバッテリ残量に達したときに、優先充電が完了したものと判定してもよい。これにより、バッテリ残量が満充電に近づいた場合には、制御部１３４がバッテリ部１３９の優先充電を完了させ、バッテリ部１１９に充電が行われることで、高い充電効果を得ることができる。
【０１１７】
バッテリ部１３９は、接点端子１３６ａと電気的に接続可能な二次電池を有する。情報表示部１３０は、バッテリ部１３９に充電された電力により、外部電源がない場合にも単独で動作可能である。
【０１１８】
スイッチ１４２ａは、アダプタ端子１４３と接点端子１３６ａとを電気的に接続するか否かを切り替え可能である。スイッチ１４２ａによりアダプタ端子１４３と接点端子１３６ａとが接続されると、入力操作部１１０にアダプタ端子１４３に接続されるアダプタの電力の供給が可能になる。また、アダプタ端子１４３に接続されるアダプタの電力を入力操作部１１０に供給しない場合には、スイッチ１４２ａは、アダプタ端子１４３と接点端子１３６ａとを接続しない。
【０１１９】
スイッチ１４２ｂは、バッテリ部１３９と接点端子１３６ａとを電気的に接続するか否かを切り替え可能である。スイッチ１４２ｂによりバッテリ部１３９と接点端子１３６ａとが接続されると、入力操作部１１０にバッテリ部１３９の電力の供給が可能になる。また、バッテリ部１３９の電力を入力操作部１１０に供給しない場合には、スイッチ１４２ｂは、バッテリ部１３９と接点端子１３６ａとを接続しない。
【０１２０】
スイッチ１４２ｃは、バッテリ部１３９とアダプタ端子１４３とを電気的に接続するか否かを切り替え可能である。これにより、アダプタ端子１４３に接続されるアダプタの電源の供給を受けるか否かを制御することができる。
【０１２１】
アダプタ端子１４３は、外部電源であるアダプタを接続可能である。アダプタは、商用電源を変換して情報表示部１３０で使用可能な電流に変換して供給するものであってもよく、その他の電源を変換して情報表示部１３０で使用可能な電流を供給するものであってもよい。また、アダプタ端子１４３は、外部バッテリ等、アダプタ以外の方法による電力の供給を受けることが可能であってもよい。また、アダプタ端子１４３は、アダプタ端子１２３に接続可能なアダプタを接続可能であってもよく、アダプタとは異なるアダプタを接続して使用するものであってもよい。
【０１２２】
なお、本実施の形態では、入力操作部１１０が、制御部１１４、切替制御部１１５を有し、情報表示部１３０が、制御部１３４、切替制御部１３５を有する。しかし、これに限らず、入力操作部１１０が、制御部１１４、切替制御部１３５の機能を有する電源制御装置を有し、情報表示部１３０が、制御部１３４、切替制御部１３５の機能を有する電源制御装置を有してもよい。そして、これらの電源制御装置が入力操作部１１０および情報表示部１３０の電源を制御することにより、同様の機能を実現してもよい。
【０１２３】
図１０は、第２の実施の形態の切替制御部の論理回路を示す図である。本実施の形態の切替制御部１１５は、図１０に示す正論理の論理回路を有する。ここで、図１０は、切替制御部１１５について説明するが、切替制御部１３５も同様の論理回路を有する。
【０１２４】
切替制御部１１５は、ＡＮＤ回路１１５ａ，１１５ｂ，１１５ｃ，１１５ｄ、ＯＲ回路１１５ｅ、ＮＯＴ回路１１５ｆ，１１５ｇ，１１５ｈ，１１５ｉを有し、各回路が図１０のように配置されている。なお、切替制御部１１５および入出力される信号は、図１０に示す論理回路および信号に限らず、異なる論理回路や信号により同様の機能を有するものであってもよい。
【０１２５】
切替制御部１１５は、検出部１１７ｂからの対向機供給電圧検出、接点端子１１６ｂからの合体検出、制御部１１４からの制御信号、電源制御部１１８からの充電状態通知、検出部１１７ａからのアダプタ電圧検出を入力として、スイッチ１２２ａ，１２２ｂに出力を行うことで、スイッチ１２２ａ，１２２ｂを制御する。
【０１２６】
対向機供給電圧検出は、検出部１１７ｂから送信される信号である。対向機供給電圧検出は、情報表示部１３０から供給される電圧の検出の有無を示し、電圧が検出されていれば、ハイレベル信号となり、電圧が検出されていなければ、ロウレベル信号となる。
【０１２７】
合体検出は、接点端子１１６ｂから送信される信号である。合体検出は、入力操作部１１０が情報表示部１３０と分離しているかまたは合体しているかを示し、分離していれば、ハイレベル信号となり、合体していればロウレベル信号となる。
【０１２８】
制御信号は、制御部１１４から送信される信号である。制御信号は、バッテリ部１３９を充電するためにバッテリ部１１９から接点端子１１６ａを介して情報表示部１３０に電力を供給するか否かを示す。制御信号は、電力を供給するならば、ハイレベル信号となり、電力を供給しなければ、ロウレベル信号となる。
【０１２９】
充電状態通知は、電源制御部１１８から送信される信号である。充電状態通知は、バッテリ部１１９に対して現在充電が行われているか否かを示し、充電中でなければ、ハイレベル信号となり、充電中であれば、ロウレベル信号となる。
【０１３０】
アダプタ電圧検出は、検出部１１７ａから送信される信号である。アダプタ電圧検出は、外部から電力を供給するアダプタがアダプタ端子１２３を介して入力操作部１１０に接続されているか否かを示し、アダプタが接続されていれば、ハイレベル信号となり、アダプタが接続されていなければ、ロウレベル信号となる。
【０１３１】
スイッチ１２２ａは、アダプタ端子１２３と接点端子１１６ａとを電気的に接続するか否かを切り替えるスイッチである。スイッチ１２２ａは、ＡＮＤ回路１１５ｃから送信される信号がハイレベル信号であれば、オンとなり、ロウレベル信号であれば、オフとなる。
【０１３２】
スイッチ１２２ｂは、バッテリ部１１９と接点端子１１６ａとを電気的に接続するか否かを切り替えるスイッチである。スイッチ１２２ｂは、ＡＮＤ回路１１５ａから送信される信号がハイレベル信号であれば、オンとなり、ロウレベル信号であれば、オフとなる。
【０１３３】
また、切替制御部１３５により、スイッチ１２２ａ，１２２ｂは、同時にはオンにならないように制御される。これにより、接点端子１１６ａ，１３６ａを介して情報表示部１３０に対し、アダプタとバッテリ部１１９とにより二重に電力が供給されることを防止する。
【０１３４】
また、切替制御部１３５により、スイッチ１２２ａ，１２２ｂは、入力操作部１１０と情報表示部１３０とが分離状態である場合には、いずれもオフになるように制御される。これにより、分離状態である場合には、接点端子１１６ａにアダプタおよびバッテリ部１１９による電圧が印加されることを防止する。
【０１３５】
また、切替制御部１３５により、スイッチ１２２ａ，１２２ｂは、アダプタ端子１２３に接続されたアダプタから、入力操作部１１０および情報表示部１３０のうちいずれか一方について充電電力が供給されるように制御される。これにより、充電時にアダプタに過度の負荷がかかることを防止すると共に、携帯端末装置１００に過度の電流が流れることを防止する。
【０１３６】
図１１は、第２の実施の形態の入力操作部に接続されたアダプタで入力操作部および情報表示部に充電する際の動作を示す図である。本実施の形態では、携帯端末装置１００が有する入力操作部１１０または情報表示部１３０のうちのいずれか一方の機器（例えば、入力操作部１１０）のアダプタ端子１２３が充電電力を供給するアダプタ２００と接続されている場合、アダプタと接続されている入力操作部１１０を通じてバッテリ部１１９，１３９に充電することができる。
【０１３７】
図１１に示すように、入力操作部１１０のアダプタ端子１２３には、アダプタ２００が接続されている。図１１に、このアダプタ２００によりバッテリ部１１９の充電が完了した後、バッテリ部１３９の充電が行われている際の携帯端末装置１００を示す。また、情報表示部１３０のアダプタ端子１４３には、アダプタは接続されていない。
【０１３８】
接点端子１１６ａ，１３６ａ、接点端子１１６ｂ，１３６ｂ、接点端子１１６ｃ，１３６ｃは、それぞれ接続されている。接点端子１１６ａ，１３６ａの接続により、入力操作部１１０および情報表示部１３０の相互間で充電電力を伝達可能である。接点端子１１６ｂ，１３６ｂの接続により、切替制御部１１５，１３５で入力操作部１１０および情報表示部１３０の合体が検出される。接点端子１１６ｃ，１３６ｃの接続により、制御部１１４，１３４の相互間で制御信号の送受信が可能である。
【０１３９】
検出部１１７ａでは、アダプタ端子１２３に接続されたアダプタ２００の電圧が検出され、アダプタ電圧検出が制御部１１４および切替制御部１１５に出力される（ハイレベル信号が出力される。以下同様。）。検出部１１７ｂでは、情報表示部１３０側からの電圧が検出されないので、対向機電圧検出は出力されない（ロウレベル信号が出力される。以下同様。）。検出部１３７ａでは、アダプタ端子１４３にアダプタが接続されておらず、アダプタの電圧が検出されないので、アダプタ電圧検出は出力されない。検出部１３７ｂでは、アダプタ２００によるバッテリ部１１９の充電中には、入力操作部１１０からの電圧が検出されないので、対向機電圧検出は出力されないが、その後、バッテリ部１３９の充電中には、入力操作部１１０に接続されたアダプタ２００の電圧が検出され、対向機電圧検出が切替制御部１３５に出力される。
【０１４０】
電源制御部１１８では、アダプタ２００によるバッテリ部１１９の充電中には、充電状態通知が出力されない。また、電源制御部１１８では、バッテリ部１１９の充電の完了が検出される。また、バッテリ部１１９の充電完了後には、バッテリ部１１９には充電が行われていないので、充電状態通知が切替制御部１１５に出力される。また、電源制御部１１８では、バッテリ部１１９のバッテリ残量通知が制御部１１４に通知される。
【０１４１】
電源制御部１３８では、アダプタ２００によるバッテリ部１３９の充電中には、充電状態通知が出力されない。また、電源制御部１３８では、バッテリ部１３９の充電の完了が検出される。また、電源制御部１３８では、バッテリ部１３９の充電完了後には、バッテリ部１３９には充電が行われていないので、充電状態通知が切替制御部１３５に出力される。また、電源制御部１３８では、バッテリ部１３９のバッテリ残量通知が制御部１３４に通知される。
【０１４２】
制御部１１４は、アダプタ２００によるバッテリ部１１９の充電中には、スイッチ１２２ｃをオンに制御する。制御部１１４は、その後、バッテリ部１３９の充電中には、図１１に示すように、スイッチ１２２ｃをオンに制御する。
【０１４３】
切替制御部１１５は、アダプタ２００によるバッテリ部１１９の充電中には、スイッチ１２２ａ，１２２ｂをオフに制御する。切替制御部１１５は、その後、バッテリ部１３９の充電中には、図１１に示すように、スイッチ１２２ａをオンに制御し、スイッチ１２２ｂをオフに制御する。
【０１４４】
制御部１３４は、アダプタ２００によるバッテリ部１１９の充電中には、スイッチ１４２ｃをオンに制御する。制御部１３４は、その後、バッテリ部１３９の充電中には、図１１に示すように、スイッチ１４２ｃをオンに制御する。
【０１４５】
切替制御部１３５は、アダプタ２００によるバッテリ部１１９の充電中には、スイッチ１４２ａ，１４２ｂをオフに制御する。切替制御部１３５は、その後、バッテリ部１３９の充電中には、図１１に示すように、スイッチ１４２ａをオンに制御し、スイッチ１４２ｂをオフに制御する。
【０１４６】
アダプタ２００によるバッテリ部１１９の充電中には、スイッチ１２２ａは、切替制御部１１５によりオフに制御される。スイッチ１２２ｂは、切替制御部１１５によりオフに制御される。スイッチ１２２ｃは、制御部１１４によりオンに制御される。スイッチ１４２ａは、切替制御部１３５によりオフに制御される。スイッチ１４２ｂは、切替制御部１３５によりオフに制御される。スイッチ１４２ｃは、制御部１３４によりオンに制御される。これにより、バッテリ部１１９の充電中には、アダプタ端子１２３に接続されたアダプタ２００の電力が、スイッチ１２２ｃ、電源制御部１１８を介してバッテリ部１１９に供給される。また、バッテリ部１１９の充電中には、スイッチ１２２ｂをオフにすることで、逆流や短絡を防止して安全性を確保する。
【０１４７】
バッテリ部１３９の充電中には、図１１に示すように、スイッチ１２２ａは、切替制御部１１５によりオンに制御される。スイッチ１２２ｂは、切替制御部１１５によりオフに制御される。スイッチ１２２ｃは、制御部１１４によりオンに制御される。スイッチ１４２ａは、切替制御部１３５によりオンに制御される。スイッチ１４２ｂは、切替制御部１３５によりオフに制御される。スイッチ１４２ｃは、制御部１３４によりオンに制御される。これにより、バッテリ部１３９の充電中には、アダプタ端子１２３に接続されたアダプタ２００の電力が、スイッチ１２２ａ、接点端子１１６ａ，１３６ａ、スイッチ１４２ａ，１４２ｃ、電源制御部１３８を介してバッテリ部１３９に供給される。また、バッテリ部１３９の充電中には、スイッチ１４２ｂをオフにすることで、逆流や短絡を防止して安全性を確保する。
【０１４８】
ここで、電源制御部１１８，１３８から通知される充電状態通知は、常時通知されてもよく、定期的に通知されてもよい。また、制御部１１４，１３４の要求に応じて通知されてもよい。
【０１４９】
図１２は、第２の実施の形態の入力操作部に接続されたアダプタで入力操作部および情報表示部に充電する際の処理の流れを示すシーケンス図である。以下では、図１２に示す処理をシーケンス図のステップ番号に沿って説明する。以下の処理は、アダプタに接続されている一方の機器が自機および対向する機器に充電する際に実行が開始される。ここでは、入力操作部１１０がアダプタ２００に接続されている場合について説明するが、情報表示部１３０がアダプタに接続されている場合も同様であるため説明を省略する。
【０１５０】
［ステップＳ１１］制御部１１４は、アダプタ２００によるバッテリ部１１９の充電を開始する。このとき制御部１１４は、切替制御部１１５に、スイッチ１２２ａをオフに制御させる。また、制御部１１４は、スイッチ１２２ｃをオンに制御する。
【０１５１】
［ステップＳ１２］電源制御部１１８は、バッテリ部１１９の充電が完了すると、切替制御部１１５に充電状態通知の信号を切り替え、充電が完了したことを通知すると共に、制御部１１４にバッテリ残量通知により充電が完了したことを通知する。切替制御部１１５は、電源制御部１１８からの充電状態通知を検出すると、スイッチ１２２ａをオンに制御する。
【０１５２】
［ステップＳ１３］制御部１１４は、切替制御部１１５を制御して、アダプタ２００を電源としてバッテリ部１３９の充電電力の供給を開始する。このとき制御部１１４は、切替制御部１１５に、スイッチ１２２ａをオンに制御させ、スイッチ１２２ｂをオフに制御させる。また、制御部１１４は、スイッチ１２２ｃをオンに制御する。また、制御部１１４は、接点端子１１６ｃ，１３６ｃを介して、制御部１３４にアダプタ２００を電源とした電力の供給の開始を通知する。
【０１５３】
［ステップＳ１４］制御部１３４は、電源制御部１３８を制御して、アダプタ２００を電源としてバッテリ部１３９の充電を開始する。このとき制御部１３４は、切替制御部１３５に、スイッチ１４２ａをオンに制御させる。また、制御部１３４は、スイッチ１４２ｃをオンに制御する。
【０１５４】
［ステップＳ１５］電源制御部１３８は、バッテリ部１３９の充電が完了すると、切替制御部１３５に充電状態通知の信号を切り替え、充電が完了したことを通知すると共に、制御部１３４にバッテリ残量通知により充電が完了したことを通知する。
【０１５５】
図１３は、第２の実施の形態のバッテリ電源供給の動作を示す図である。本実施の形態では、携帯端末装置１００が有する入力操作部１１０または情報表示部１３０のうちのいずれか一方の機器（例えば、入力操作部１１０）のバッテリ残量を使用して他方の機器に充電するバッテリ電源供給を行うことができる。
【０１５６】
図１３に、入力操作部１１０が有するバッテリ部１１９のバッテリ残量を使用して、情報表示部１３０が有するバッテリ部１３９の充電が行われている際の携帯端末装置１００を示す。また、このとき入力操作部１１０のアダプタ端子１２３および情報表示部１３０のアダプタ端子１４３には、アダプタは接続されていない。
【０１５７】
接点端子１１６ａ，１３６ａ、接点端子１１６ｂ，１３６ｂ、接点端子１１６ｃ，１３６ｃは、前述したように、それぞれ接続されている。
検出部１１７ａ，１３７ａでは、いずれのアダプタも接続されておらず、アダプタの電圧が検出されないので、アダプタ電圧検出は出力されない。検出部１１７ｂでは、情報表示部１３０からの電圧が検出されないので、対向機電圧検出は出力されない。検出部１３７ｂでは、バッテリ部１１９の電圧が検出され、対向機電圧検出が切替制御部１３５に出力される。
【０１５８】
電源制御部１１８では、バッテリ部１１９のバッテリ残量通知が制御部１１４に通知される。電源制御部１３８では、バッテリ部１３９の充電中には、充電状態通知が出力されない。また、電源制御部１３８では、バッテリ部１３９の充電の完了が検出される。また、電源制御部１３８では、バッテリ部１３９の充電完了後には、充電状態通知が切替制御部１３５に出力される。また、電源制御部１３８では、バッテリ部１３９のバッテリ残量通知が制御部１３４に通知される。
【０１５９】
制御部１１４は、バッテリ部１１９によるバッテリ部１３９の充電中には、図１３に示すように、スイッチ１２２ｃをオンに制御する。切替制御部１１５は、スイッチ１２２ａをオフに制御し、スイッチ１２２ｂをオンに制御する。制御部１３４は、スイッチ１４２ｃをオンに制御する。切替制御部１３５は、スイッチ１４２ａをオンに制御し、スイッチ１４２ｂをオフに制御する。
【０１６０】
スイッチ１２２ａは、バッテリ部１１９によるバッテリ部１３９の充電中には、図１３に示すように、切替制御部１１５によりオフに制御される。スイッチ１２２ｂは、切替制御部１１５によりオンに制御される。スイッチ１２２ｃは、制御部１１４によりオンに制御される。スイッチ１４２ａは、切替制御部１３５によりオンに制御される。スイッチ１４２ｂは、切替制御部１３５によりオフに制御される。スイッチ１４２ｃは、制御部１３４によりオンに制御される。これにより、バッテリ部１１９によるバッテリ部１３９の充電中には、バッテリ部１１９の電力が、スイッチ１２２ｂ、接点端子１１６ａ，１３６ａ、スイッチ１４２ａ，１４２ｃ、電源制御部１３８を介してバッテリ部１３９に供給される。また、バッテリ部１１９によるバッテリ部１３９の充電中には、スイッチ１４２ｂをオフにすることで、逆流や短絡を防止して安全性を確保する。
【０１６１】
図１４は、第２の実施の形態のバッテリ電源供給の処理の流れを示すシーケンス図である。以下では、図１４に示す処理をシーケンス図のステップ番号に沿って説明する。以下の処理は、一方の機器のバッテリ残量が残り少なくなった際に実行が開始される。ここでは、入力操作部１１０のバッテリ残量に余裕があり、情報表示部１３０のバッテリ残量が少なくなった場合について説明するが、情報表示部１３０のバッテリ残量に余裕があり、入力操作部１１０のバッテリ残量が少なくなった場合も同様であるため説明を省略する。
【０１６２】
［ステップＳ２１］制御部１３４は、バッテリ部１３９の充電を行うために、バッテリ部１１９のバッテリ残量を電源として充電電力の供給を受けることができるかを確認する通知を、接点端子１３６ｃ，１１６ｃを介して、制御部１１４に送信する。
【０１６３】
ここで、バッテリ部１３９のバッテリ部１１９からの供給を確認するか否かについては、例えば、バッテリ部１３９のバッテリ残量に関して、バッテリ部１３９の満充電時のバッテリ残量に対する比率である充電率が、所定の比率（例えば、２５％）未満であれば、供給の確認をしてもよい。なお、他の基準で供給の確認をするか否かを決定してもよい。
【０１６４】
上記所定の比率の一例として、情報表示部１３０のバッテリ残量表示の閾値を用いてもよい。ここで、本実施の形態の入力操作部１１０および情報表示部１３０では、それぞれのバッテリ残量を示すバッテリ残量表示を表示するものとする。入力操作部１１０および情報表示部１３０のそれぞれの機器において、それぞれのバッテリ残量に応じたバッテリ残量表示（例えば、「０本」〜「３本」の縦長の棒が横に並んだ表示）が行われる。
【０１６５】
例えば、バッテリ残量が満充電時の７０％以上のときには、バッテリ残量表示が最大の「３本」表示される。バッテリ残量が満充電時の２０％以上７０％未満のときには、バッテリ残量表示が「２本」表示される。バッテリ残量が満充電時の１０％以上２０％未満のときには、バッテリ残量表示が「１本」表示される。バッテリ残量が満充電時の１０％未満のときには、バッテリ残量表示が「０本」表示される。
【０１６６】
このような場合において、情報表示部１３０のバッテリ部１３９のバッテリ残量が、バッテリ残量表示「１本」の下側の閾値である「１０％」を下回った場合に、情報表示部１３０は、入力操作部１１０に対してバッテリ部１１９からの供給の確認をしてもよい。
【０１６７】
［ステップＳ２２］制御部１１４は、電源制御部１１８から通知されるバッテリ部１１９のバッテリ残量通知により、バッテリ部１１９の残量を確認する。バッテリ部１１９の残量が、バッテリ部１３９への供給に十分でなければ、制御部１１４は、供給が不可能であることを示す供給不可応答を、接点端子１１６ｃ，１３６ｃを介して、制御部１３４に送信する。バッテリ残量が、バッテリ部１３９への供給に十分であれば、ステップＳ２３に処理が進められる。
【０１６８】
ここで、バッテリ部１１９のバッテリ残量がバッテリ部１３９への供給に十分であるか否かについては、例えば、バッテリ部１１９のバッテリ残量に関して、バッテリ部１１９の満充電時のバッテリ残量に対する比率である充電率が、所定の比率（例えば、５０％）以上であれば、十分であるとすることができる。なお、他の基準でバッテリ残量が十分であるか否かを決定してもよい。
【０１６９】
上記所定の比率の一例として、ステップＳ２１と同様に、入力操作部１１０のバッテリ残量表示の閾値を用いてもよい。例えば、情報表示部１３０からバッテリ部１１９によるバッテリ部１３９の充電電力の供給の確認があった場合、入力操作部１１０のバッテリ部１１９のバッテリ残量が、バッテリ残量表示「３本」の下側の閾値である「７０％」以上であるか未満であるかにより、制御部１１４は充電電力の供給を行うか否かを決定してもよい。このとき、制御部１１４は、バッテリ部１１９のバッテリ残量が「７０％」以上であればバッテリ部１１９による充電電力の供給を行い、バッテリ部１１９のバッテリ残量が「７０％」未満であれば、バッテリ部１１９による充電電力の供給を行わないようにしてもよい。
【０１７０】
［ステップＳ２３］制御部１１４は、接点端子１１６ｃ，１３６ｃを介して、バッテリ部１１９を使用して充電電力の供給が可能であることを示す供給可能応答を送信する。
［ステップＳ２４］制御部１３４は、バッテリ部１１９のバッテリ残量を電源とした充電電力の供給の開始についての要求を、接点端子１３６ｃ，１１６ｃを介して、制御部１１４に送信する。
【０１７１】
［ステップＳ２５］制御部１１４は、切替制御部１１５を制御して、バッテリ部１１９を電源としてバッテリ部１３９の充電電力の供給を開始する。このとき制御部１１４は、切替制御部１１５に、スイッチ１２２ａをオフに制御させ、スイッチ１２２ｂをオンに制御させる。また、制御部１１４は、スイッチ１２２ｃをオンに制御する。また、制御部１１４は、接点端子１１６ｃ，１３６ｃを介して、制御部１３４にバッテリ部１１９を電源とした電力の供給の開始を通知する。
【０１７２】
［ステップＳ２６］制御部１３４は、電源制御部１３８を制御して、バッテリ部１１９を電源としてバッテリ部１３９の充電を開始する。このとき制御部１３４は、制御信号を送信し、切替制御部１３５に、スイッチ１４２ａをオンに制御させ、スイッチ１４２ｂをオフに制御させる。また、制御部１３４は、スイッチ１４２ｃをオンに制御する。
【０１７３】
［ステップＳ２７］制御部１１４は、電源制御部１１８によるバッテリ部１１９のバッテリ残量を示すバッテリ残量通知を監視し、バッテリ部１１９のバッテリ残量が所定量を下回った場合には、バッテリ部１１９を電源とした充電電力の供給を終了する。この場合、制御部１１４は、切替制御部１３５に制御信号を切り替え、バッテリ部１１９を電源とした充電電力の供給が終了したことを通知すると共に、バッテリ部１１９を電源とした充電電力の供給の終了の通知を、接点端子１１６ｃ，１３６ｃを介して、制御部１３４に送信する。
【０１７４】
［ステップＳ２８］電源制御部１３８は、バッテリ部１３９の充電が終了すると、切替制御部１３５に充電状態通知の信号を切り替え、充電が終了したことを通知する。
なお、本実施の形態のバッテリ電源供給では、例えば、バッテリ部１１９のバッテリ残量がバッテリ部１３９への供給に十分であるか否かに基づいて、バッテリ電源供給を行うか否かが判定されるが、これに限らず、バッテリ部１１９のバッテリ残量とバッテリ部１３９のバッテリ残量とを比較する等、他の判定基準で判定してもよい。
【０１７５】
また、本実施の形態では、例えば、バッテリ部１１９のバッテリ残量が所定量を下回った場合には、バッテリ部１３９に対するバッテリ電源供給を終了するが、これに限らず、例えば、バッテリ部１１９のバッテリ残量とバッテリ部１３９のバッテリ残量が等しくなった場合にバッテリ電源供給を終了する等、他の判定基準で終了してもよい。
【０１７６】
図１５は、第２の実施の形態の優先充電の動作を示す図である。本実施の形態では、携帯端末装置１００が有する入力操作部１１０または情報表示部１３０のうちのいずれか一方の機器（例えば、入力操作部１１０）に接続されているアダプタ端子１２３でバッテリ部１１９，１３９に充電する場合に、バッテリ残量が少ない方の機器に優先して充電する優先充電を行うことができる。
【０１７７】
図１５に示すように、入力操作部１１０のアダプタ端子１２３には、アダプタ２００が接続されている。図１５に、このアダプタ２００によりバッテリ部１３９が優先充電されている際の携帯端末装置１００を示す。また、情報表示部１３０のアダプタ端子１４３には、アダプタは接続されていない。
【０１７８】
接点端子１１６ａ，１３６ａ、接点端子１１６ｂ，１３６ｂ、接点端子１１６ｃ，１３６ｃは、前述したように、それぞれ接続されている。
検出部１１７ａでは、アダプタ端子１２３に接続されたアダプタ２００の電圧が検出され、アダプタ電圧検出が制御部１１４および切替制御部１１５に出力される。検出部１１７ｂでは、情報表示部１３０側からの電圧が検出されないので、対向機電圧検出は出力されない。検出部１３７ａでは、アダプタ端子１４３にアダプタが接続されておらず、アダプタの電圧が検出されないので、アダプタ電圧検出は出力されない。検出部１３７ｂでは、バッテリ部１３９の優先充電中には、入力操作部１１０に接続されたアダプタ２００の電圧が検出され、対向機電圧検出が切替制御部１３５に出力されるが、その後、バッテリ部１１９の充電中には、入力操作部１１０からの電圧が検出されないので、対向機電圧検出は出力されない。
【０１７９】
電源制御部１１８では、アダプタ２００によるバッテリ部１３９の優先充電中には、バッテリ部１１９には充電が行われていないので、充電状態通知が切替制御部１１５に出力され、その後、バッテリ部１１９の充電中には、充電状態通知が出力されない。また、電源制御部１１８では、バッテリ部１１９のバッテリ残量通知が制御部１１４に通知される。
【０１８０】
電源制御部１３８では、アダプタ２００によるバッテリ部１３９の優先充電中には、充電状態通知が出力されない。また、電源制御部１３８では、バッテリ部１３９の優先充電が完了した場合、バッテリ部１３９の優先充電の完了が検出される。また、電源制御部１３８では、バッテリ部１１９の充電中には、バッテリ部１３９には充電が行われていないので、充電状態通知が切替制御部１３５に出力される。また、電源制御部１３８では、バッテリ部１３９のバッテリ残量通知が制御部１３４に通知される。
【０１８１】
制御部１１４は、アダプタ２００によるバッテリ部１３９の優先充電中には、図１５に示すように、スイッチ１２２ｃをオフに制御する。制御部１１４は、その後、バッテリ部１１９の充電中には、スイッチ１２２ｃをオンに制御する。
【０１８２】
切替制御部１１５は、アダプタ２００によるバッテリ部１３９の優先充電中には、図１５に示すように、スイッチ１２２ａをオンに制御し、スイッチ１２２ｂをオフに制御する。切替制御部１１５は、その後、バッテリ部１１９の充電中には、スイッチ１２２ａ，１２２ｂをオフに制御する。
【０１８３】
制御部１３４は、アダプタ２００によるバッテリ部１３９の優先充電中には、図１５に示すように、スイッチ１４２ｃをオンに制御する。制御部１３４は、電源制御部１３８によりバッテリ部１３９の充電の完了が検出された後におけるバッテリ部１１９の充電中には、スイッチ１４２ｃをオンに制御する。
【０１８４】
切替制御部１３５は、アダプタ２００によるバッテリ部１３９の優先充電中には、図１５に示すように、スイッチ１４２ａをオンに制御し、スイッチ１４２ｂをオフに制御する。切替制御部１３５は、その後、バッテリ部１１９の充電中には、スイッチ１４２ａ，１４２ｂをオフに制御する。
【０１８５】
アダプタ２００によるバッテリ部１３９の優先充電中には、図１５に示すように、スイッチ１２２ａは、切替制御部１１５によりオンに制御される。スイッチ１２２ｂは、切替制御部１１５によりオフに制御される。スイッチ１２２ｃは、制御部１１４によりオフに制御される。スイッチ１４２ａは、切替制御部１３５によりオンに制御される。スイッチ１４２ｂは、切替制御部１３５によりオフに制御される。スイッチ１４２ｃは、制御部１３４によりオンに制御される。これにより、バッテリ部１３９の充電中には、アダプタ端子１２３に接続されたアダプタ２００の電力が、スイッチ１２２ａ、接点端子１１６ａ，１３６ａ、スイッチ１４２ａ，１４２ｃ、電源制御部１３８を介してバッテリ部１３９に供給される。また、バッテリ部１３９の充電中には、スイッチ１４２ｂをオフにすることで、逆流や短絡を防止して安全性を確保する。また、バッテリ部１３９の充電中には、スイッチ１２２ｃをオフにすることで、バッテリ部１１９のバッテリ残量が十分でない場合にも、アダプタ２００とバッテリ部１１９との間の電流が遮断され、アダプタ２００の電力がバッテリ部１３９に供給される。
【０１８６】
バッテリ部１１９の充電中には、スイッチ１２２ａは、切替制御部１１５によりオフに制御される。スイッチ１２２ｂは、切替制御部１１５によりオフに制御される。スイッチ１２２ｃは、制御部１１４によりオンに制御される。スイッチ１４２ａは、切替制御部１３５によりオフに制御される。スイッチ１４２ｂは、切替制御部１３５によりオフに制御される。スイッチ１４２ｃは、制御部１３４によりオンに制御される。これにより、バッテリ部１１９の充電中には、アダプタ端子１２３に接続されたアダプタ２００の電力が、スイッチ１２２ｃ、電源制御部１１８を介してバッテリ部１１９に供給される。また、バッテリ部１１９の充電中には、スイッチ１２２ｂをオフにすることで、逆流や短絡を防止して安全性を確保する。
【０１８７】
図１６は、第２の実施の形態の優先充電の処理の流れを示すシーケンス図である。以下では、図１６に示す処理をシーケンス図のステップ番号に沿って説明する。以下の処理は、アダプタが接続されている一方の機器が自機および対向する機器に充電する場合であって、対向する機器のバッテリ残量が少ないときに実行が開始される。ここでは、入力操作部１１０にアダプタ２００が接続されていると共に情報表示部１３０のバッテリ残量が少ない場合について説明するが、情報表示部１３０にアダプタが接続されていると共に入力操作部１１０のバッテリ残量が少ない場合も同様であるため説明を省略する。
【０１８８】
［ステップＳ３１］制御部１３４は、アダプタ端子１２３に接続されたアダプタ２００を電源としてバッテリ部１３９を充電する優先充電を要求する優先充電要求を、接点端子１３６ｃ，１１６ｃを介して、制御部１１４に送信する。また、この優先充電には、バッテリ部１３９のバッテリ残量を示す情報が含まれる。
【０１８９】
［ステップＳ３２］制御部１１４は、制御部１３４から通知される優先充電要求に含まれるバッテリ部１３９のバッテリ残量を示す情報により、バッテリ部１３９の残量を確認する。また、制御部１１４は、電源制御部１１８から通知されるバッテリ部１１９のバッテリ残量通知により、バッテリ部１１９の残量を確認する。次に、制御部１１４は、バッテリ部１１９のバッテリ残量とバッテリ部１３９のバッテリ残量とを比較して、バッテリ部１３９のバッテリ残量が等しいか多ければ、優先充電は行わず、優先充電が不可能であることを示す優先充電不可応答を、接点端子１１６ｃ，１３６ｃを介して、制御部１３４に送信する。その後、携帯端末装置１００では、図１１および図１２に示すように、バッテリ部１１９を先に充電した後、バッテリ部１３９の充電が行われる。バッテリ部１３９のバッテリ残量が少なければ、ステップＳ３３に処理が進められる。
【０１９０】
［ステップＳ３３］制御部１１４は、切替制御部１１５を制御して、アダプタ２００を電源としてバッテリ部１３９の充電電力の供給を開始する。このとき制御部１１４は、切替制御部１１５に、スイッチ１２２ａをオンに制御させ、スイッチ１２２ｂをオフに制御させる。また、制御部１１４は、スイッチ１２２ｃをオフに制御する。また、制御部１１４は、接点端子１１６ｃ，１３６ｃを介して、制御部１３４にアダプタ２００を電源とした優先充電の開始を通知する。
【０１９１】
［ステップＳ３４］制御部１３４は、電源制御部１３８を制御して、アダプタ２００を電源としてバッテリ部１３９の優先充電を開始する。このとき制御部１３４は、切替制御部１３５に、スイッチ１４２ａをオンに制御させる。また、制御部１３４は、スイッチ１４２ｃをオンに制御する。
【０１９２】
［ステップＳ３５］電源制御部１３８は、バッテリ部１３９の優先充電が完了すると、切替制御部１３５に充電状態通知の信号を切り替え、優先充電が完了したことを通知すると共に、制御部１３４にバッテリ残量通知により優先充電が完了したことを通知する。
【０１９３】
ここで、電源制御部１３８は、バッテリ部１３９の優先充電が完了したか否かの判定に関し、バッテリ部１３９のバッテリ残量が、バッテリ部１３９の満充電時のバッテリ残量よりも少ない所定のバッテリ残量（例えば、バッテリ部１３９の満充電時の８割のバッテリ残量）に達した場合に、優先充電が完了したものと判定してもよい。バッテリは、バッテリ残量が満充電にある程度近づく（例えば、満充電時の７０％以上）と、充電効率が低下するものがある。これ基づき、バッテリ残量が満充電には達していないが満充電に近い所定のバッテリ残量（例えば、満充電時の８０％）に達した場合には、バッテリ部１３９の優先充電を完了させ、バッテリ部１１９に充電を行うことで、高い充電効果を得ることができる。
【０１９４】
［ステップＳ３６］制御部１３４は、バッテリ部１３９の優先充電の完了を通知する優先充電完了通知を、接点端子１３６ｃ，１１６ｃを介して、制御部１１４に送信する。
［ステップＳ３７］制御部１１４は、アダプタ２００によるバッテリ部１１９の充電を開始する。このとき制御部１１４は、切替制御部１１５に、スイッチ１２２ａをオフに制御させる。また、制御部１１４は、スイッチ１２２ｃをオンに制御する。
【０１９５】
［ステップＳ３８］電源制御部１１８は、バッテリ部１１９の充電が完了すると、切替制御部１１５に充電状態通知の信号を切り替え、充電が完了したことを通知すると共に、制御部１１４にバッテリ残量通知により充電が完了したことを通知する。
【０１９６】
なお、本実施の形態の優先充電では、例えば、バッテリ部１１９の残量とバッテリ部１３９のバッテリ残量とを比較して優先充電を行うか否かが判定されるが、これに限らず、バッテリ部１１９の充電率とバッテリ部１３９の充電率とを比較する等、他の判定基準で判定してもよい。
【０１９７】
以上、第２の実施の形態に係る携帯端末装置１００によれば、分離可能な携帯端末装置１００の入力操作部１１０および情報表示部１３０のそれぞれのバッテリ残量について、双方の機器間で調整することが可能になる。
【０１９８】
また、一方の機器がアダプタに接続されていれば、他方の機器にも充電が可能であるため、充電の際のユーザの手間が簡略化できる。
また、合体状態の入力操作部１１０および情報表示部１３０のいずれか一方にアダプタを接続することで、双方の機器に充電することができる。
【０１９９】
また、例えば、ユーザがバッテリ電力によって携帯端末装置１００を分離状態で使用している場合において、一方の機器を主に使用しているとき等、一方の機器のバッテリが先に消耗してしまったときに、他方の機器のバッテリに余力があれば、余力がある側のバッテリ残量を使用して、消耗してしまった方の機器のバッテリを充電することができる。これにより、バッテリを消耗してしまった方の機器の使用時間を延ばすことができ、携帯端末装置１００全体としてのバッテリ稼働時間を長くすることができる。
【０２００】
また、合体状態の入力操作部１１０および情報表示部１３０にアダプタで充電する場合において、双方の機器のバッテリ残量に偏りがある場合に、バッテリ残量が少ない方の機器を優先して充電することができる。
【０２０１】
また、相互間の電力の供給に使用する接続線を共通化したので、携帯端末装置１００の入力操作部１１０および情報表示部１３０の間の接点および接続線を簡略化できる。
ここで、本実施の形態では、携帯端末装置を挙げて説明したが、これは例示であり、分離可能なあらゆる電子装置に適用可能である。適用可能な電子装置として、例えば、本体とクレードル（cradle）とに分離可能な携帯電話機、携帯型テレビ、携帯型ゲーム機、電子辞書装置、ノート型コンピュータ、ＰＤＡ等を挙げるが、必ずしもこれらに限らない。
【０２０２】
また、上記クレードルは、例えば、本体に対する充電機能、本体との通信により本体との間で情報を読み書きする機能、読み出した情報を表示する機能を有してもよい。
以上、開示の電子装置および電源制御装置を、図示の実施の形態に基づいて説明したが、上記については単に本発明の原理を示すものである。開示の技術は、多数の変形、変更が当業者にとって可能であり、上記に示し、説明した正確な構成および応用例に限定されるものではなく、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。また、開示の技術に対応するすべての変形例および均等物は、添付の請求項およびその均等物による本発明の範囲とみなされる。
【０２０３】
以上の第１から第２の実施の形態を含む実施の形態に関し、更に以下の付記を開示する。
（付記１）  第２の筐体と、前記第２の筐体から供給された電力を受け取ることができる第１の筐体とを有する電子装置であって、
前記第１の筐体は、第１の接点部と、第１のスイッチと、前記第１のスイッチを制御する第１のスイッチ制御部とを有し、
前記第２の筐体は、前記第１の接点部と電気的に接続可能な第２の接点部と、前記第２の接点部と電気的に接続可能な二次電池を有する第２のバッテリ部と、前記第２のバッテリ部に対する充電を制御する第２の電源制御部とを有し、
前記第２の筐体は、前記第１の接点部と前記第２の接点部との関係において前記第１の筐体と電気的に接続している第１の形態と、前記第１の筐体と分離している第２の形態とを含む変形形態をとることができ、
前記第１のスイッチは、充電する電力を供給可能な第１の電源と前記第１の接点部とを電気的に接続するか否かを切り替え可能であり、
前記第１のスイッチ制御部は、前記第１の電源を用いて前記第２の電源制御部により前記第２のバッテリ部が充電される場合には、前記第１のスイッチを前記第１の接点部と前記第１の電源とを電気的に接続するように切り替えることを特徴とする電子装置。
【０２０４】
（付記２）  前記第１の電源は、第１の外部電源であり、
前記第１の筐体は、前記第１の外部電源と接続可能な第１の外部電源端子を有し、
前記第１のスイッチは、前記第１の外部電源端子と前記第１の接点部とを電気的に接続するか否かを切り替え可能であることを特徴とする付記１記載の電子装置。
【０２０５】
（付記３）  前記第１の筐体は、二次電池を有する第１のバッテリ部を有し、
前記第１の電源は、前記第１のバッテリ部であり、
前記第１のスイッチは、前記第１のバッテリ部と前記第１の接点部とを電気的に接続するか否かを切り替え可能であることを特徴とする付記１記載の電子装置。
【０２０６】
（付記４）  前記第１の筐体は、二次電池を有する第１のバッテリ部と、前記第１のバッテリ部に対する充電を制御する第１の電源制御部と、前記第１のバッテリ部と前記第１の外部電源端子とを電気的に接続するか否かを切り替え可能である充電用スイッチとを有し、
前記第１のスイッチ制御部は、前記充電用スイッチを前記第１のバッテリ部と前記第１の外部電源端子とを電気的に接続しないように切り替えると共に、前記第１のスイッチを前記第１の接点部と前記第１の外部電源端子とを電気的に接続するように切り替え、前記第２のバッテリ部の充電が完了した後、前記充電用スイッチを前記第１のバッテリ部と前記第１の外部電源端子とを電気的に接続するように切り替えると共に、前記第１のスイッチを前記第１の接点部と前記第１の外部電源端子とを電気的に接続しないように切り替えることを特徴とする付記２記載の電子装置。
【０２０７】
（付記５）  前記第１の筐体は、二次電池を有する第１のバッテリ部と、前記第１のバッテリ部に対する充電を制御する第１の電源制御部とを有し、
前記第２の筐体は、第２のスイッチと、前記第２のスイッチを制御する第２のスイッチ制御部とを有し、
前記第２のスイッチは、充電する電力を供給可能な第２の電源と前記第２の接点部とを電気的に接続するか否かを切り替え可能であり、
前記第２のスイッチ制御部は、前記第２の電源を用いて前記第１の電源制御部により前記第１のバッテリ部が充電される場合には、前記第２のスイッチを前記第２の接点部と前記第２のバッテリ部とを電気的に接続するように切り替えることを特徴とする付記１記載の電子装置。
【０２０８】
（付記６）  前記第１のスイッチ制御部は、前記第１のバッテリ部のバッテリ残量と前記第２のバッテリ部のバッテリ残量とを比較して前記第２のバッテリ部のバッテリ残量が少ない場合には、前記充電用スイッチを前記第１のバッテリ部と前記第１の外部電源端子とを電気的に接続しないように切り替えると共に、前記第１のスイッチを前記第１の接点部と前記第１の外部電源端子とを電気的に接続するように切り替え、前記第２のバッテリ部の充電が完了した後、前記充電用スイッチを前記第１のバッテリ部と前記第１の外部電源端子とを電気的に接続するように切り替えると共に、前記第１のスイッチを前記第１の接点部と前記第１の外部電源端子とを電気的に接続しないように切り替えることを特徴とする付記４記載の電子装置。
【０２０９】
（付記７）  前記第１の筐体は、二次電池を有する第１のバッテリ部と、前記第１の接点部から供給される電圧を検出する検出部とを有し、
前記第１のスイッチは、前記第１のバッテリ部と前記第１の接点部とを電気的に接続するか否かを切り替え可能であり、
前記第１のスイッチ制御部は、前記検出部により前記第１の接点部から供給される電圧が検出される場合には、前記第１のスイッチを前記第１のバッテリ部と前記第１の接点部とを電気的に接続しないように切り替えることを特徴とする付記１記載の電子装置。
【０２１０】
（付記８）  前記第１の筐体は、二次電池を有する第１のバッテリ部と、前記第１の形態であるか前記第２の形態であるかを検出する合体検出接点部とを有し、
前記第１のスイッチは、前記第１のバッテリ部と前記第１の接点部とを電気的に接続するか否かを切り替え可能であり、
前記第１のスイッチ制御部は、前記合体検出接点部に基づいて前記第２の状態であることが検出される場合には、前記第１のスイッチを前記第１のバッテリ部と前記第１の接点部とを電気的に接続しないように切り替えることを特徴とする付記１記載の電子装置。
【０２１１】
（付記９）  前記第１の筐体は、二次電池を有する第１のバッテリ部と、前記第１のバッテリ部に対する充電を制御する第１の電源制御部とを有し、
前記第１のスイッチ制御部は、前記第１の電源を用いて前記第１の電源制御部により前記第１のバッテリ部が充電される場合には、前記第１のスイッチを前記第１の接点部と前記第１の電源とを電気的に接続しないように切り替えることを特徴とする付記２記載の電子装置。
【０２１２】
（付記１０）  他の電子装置と接続可能であると共に、前記他の電子装置から供給された電力を受け取ることができる電子装置であって、
前記他の電子装置の接点部と電気的に接続可能な接点部と、スイッチと、前記スイッチを制御するスイッチ制御部とを有し、
前記接点部と前記他の電子装置の接点部との関係において前記他の電子装置と電気的に接続している第１の形態と、前記他の電子装置と分離している第２の形態とを含む変形形態をとることができ、
前記スイッチは、充電する電力を供給可能な電源と前記接点部とを電気的に接続するか否かを切り替え可能であり、
前記スイッチ制御部は、前記電源を用いて前記他の電子装置が充電される場合には、前記スイッチを前記接点部と前記電源とを電気的に接続するように切り替えることを特徴とする電子装置。
【０２１３】
（付記１１）  他の電子装置と接続可能であると共に、前記他の電子装置から供給された電力を受け取ることができる電子装置の電源を制御する電源制御装置であって、
充電する電力を供給可能な前記電源と、前記他の電子装置の接点部と電気的に接続可能な接点部とを電気的に接続するか否かを切り替え可能であるスイッチを制御し、前記電源を用いて前記他の電子装置が充電される場合には、前記スイッチを前記接点部と前記電源とを電気的に接続するように切り替えることを特徴とする電源制御装置。
【０２１４】
（付記１２）  他の電子装置と接続可能であると共に、前記他の電子装置から供給された電力を受け取ることができる電子装置の電源を制御する電源制御方法であって、
充電する電力を供給可能な前記電源と、前記他の電子装置の接点部と電気的に接続可能な接点部とを電気的に接続するか否かを切り替え可能であるスイッチを制御し、前記電源を用いて前記他の電子装置が充電される場合には、前記スイッチを前記接点部と前記電源とを電気的に接続するように切り替えるスイッチ切替ステップを有することを特徴とする電源制御方法。
【符号の説明】
【０２１５】
１  電子装置
１ａ，１ｂ  筐体
１ａ１，１ｂ１  スイッチ制御部
１ａ２，１ｂ２  スイッチ
１ａ３，１ｂ３  バッテリ部
１ａ４，１ｂ４  電源制御部
１ａ５，１ｂ５  接点部
１ａ６，１ｂ６  電源
【図１】
2011101458.tif 000003
【図２】
2011101458.tif 000004
【図３】
2011101458.tif 000005
【図４】
2011101458.tif 000006
【図５】
2011101458.tif 000007
【図６】
2011101458.tif 000008
【図７】
2011101458.tif 000009
【図８】
2011101458.tif 000010
【図９】
2011101458.tif 000011
【図１０】
2011101458.tif 000012
【図１１】
2011101458.tif 000013
【図１２】
2011101458.tif 000014
【図１３】
2011101458.tif 000015
【図１４】
2011101458.tif 000016
【図１５】
2011101458.tif 000017
【図１６】
2011101458.tif 000018